(57)【要約】  ランダムアクセス方法、データ受信方法及びその装置、通信システムが提供される。該ランダムアクセス方法は、端末装置がネットワーク装置にランダムアクセスプリアンブルを送信し；及び、該端末装置が第一通知を受信したときに、又は、該端末装置が第一通知を受信しており、且つ該ランダムアクセスプリアンブルに関連する第一セルの条件が満足されたときに、該端末装置は該ランダムアクセスプリアンブルに対応するランダムアクセスプロシージャが成功裏に完了していると確定することを含み、該第一通知は、下位層から送信される、該第一セルでの下りリンク制御チャネルの伝送が受信されたことの通知、及び／又は、下位層から送信される、該ランダムアクセスプリアンブルをフィードバックするための下りリンク制御チャネルの伝送が受信されたことの通知である。
2021533613.tif 000002
【特許請求の範囲】
【請求項１】
ランダムアクセス装置であって、
ネットワーク装置にランダムアクセスプリアンブルを送信するための第一送信ユニット；及び
端末装置が第一通知を受信したときに、又は、端末装置が第一通知を受信しており、且つ前記ランダムアクセスプリアンブルに関連する第一セルの条件が満足されたときに、前記ランダムアクセスプリアンブルに対応するランダムアクセスプロシージャが成功裏に完了していると確定する第一確定ユニットを含み、
前記第一通知は、前記端末装置の下位層から送信される、前記第一セルでの下りリンク制御チャネルの伝送が受信されたことの通知、及び／又は、下位層から送信される、前記ランダムアクセスプリアンブルをフィードバックするための下りリンク制御チャネルの伝送が受信されたことの通知である、ランダムアクセス装置。
【請求項２】
請求項１に記載のランダムアクセス装置であって、
前記第一セルは、
前記ランダムアクセスプリアンブルに対応するランダムアクセスプロシージャが開始されるセル；又は
前記ランダムアクセスプリアンブルが送信されるセルである、ランダムアクセス装置。
【請求項３】
請求項１に記載のランダムアクセス装置であって、
前記条件は、前記第一セルが第二セルと同じであり、又は、前記第一セルが第二セルとは異なるということである、ランダムアクセス装置。
【請求項４】
請求項３に記載のランダムアクセス装置であって、
前記第二セルは、
前記ランダムアクセスプリアンブルをフィードバックするための下りリンク制御チャネルの伝送がモニタリングされるセル；又は
特殊セル（ＳｐＣｅｌｌ）である、ランダムアクセス装置。
【請求項５】
請求項１に記載のランダムアクセス装置であって、
前記ランダムアクセスプリアンブルはビーム失敗回復要求である、ランダムアクセス装置。
【請求項６】
請求項１に記載のランダムアクセス装置であって、
前記下りリンク制御チャネルの伝送はＣ−ＲＮＴＩ又はＲＡ−ＲＮＴＩに関連している、ランダムアクセス装置。
【請求項７】
請求項１に記載のランダムアクセス装置であって、
前記ランダムアクセスプロシージャが成功裏に完了した後に、前記ランダムアクセスプロシージャに関連する上下りリンク信号の送受信を停止、及び／又は、測定間隔の出現可能性を無視するための第一処理ユニットをさらに含む、ランダムアクセス装置。
【請求項８】
ランダムアクセス装置であって、
ネットワーク装置にランダムアクセスプリアンブルを送信するための第二送信ユニット；及び
端末装置が下りリンク制御チャネルで下りリンク割り当てを受信しており、且つ受信した対応する伝送ブロックが成功裏にデコードされているときに、又は、端末装置が下りリンク制御チャネルで下りリンク割り当てを受信しており、且つ受信した対応する伝送ブロックが成功裏にデコードされており、且つ前記ランダムアクセスプリアンブルに関連する第一セルの条件が満足されたときに、前記ランダムアクセスプリアンブルに対応するランダムアクセスプロシージャが成功裏に完了していると確定する第二確定ユニットを含み、
前記下りリンク制御チャネルは、第二セルの下りリンク制御チャネルであり、及び／又は、前記ランダムアクセスプリアンブルをフィードバックするための下りリンク制御チャネルである、ランダムアクセス装置。
【請求項９】
請求項８に記載のランダムアクセス装置であって、
前記第一セルは、
前記ランダムアクセスプリアンブルに対応するランダムアクセスプロシージャが開始されるセル；又は
前記ランダムアクセスプリアンブルが送信されるセルである、ランダムアクセス装置。
【請求項１０】
請求項８に記載のランダムアクセス装置であって、
前記条件は、前記第一セルが第二セルと同じであり、又は、前記第一セルが第二セルとは異なるということである、ランダムアクセス装置。
【請求項１１】
請求項１０に記載のランダムアクセス装置であって、
前記第二セルは、
前記ランダムアクセスプリアンブルをフィードバックするための下りリンク割り当てがモニタリングされるセルであり；又は
特殊セル（Ｓｐｃｅｌｌ）である、ランダムアクセス装置。
【請求項１２】
請求項８に記載のランダムアクセス装置であって、
前記伝送ブロックは前記第一セルで受信する伝送ブロックである、ランダムアクセス装置。
【請求項１３】
請求項８に記載のランダムアクセス装置であって、
前記ランダムアクセスプリアンブルはビーム失敗回復要求である、ランダムアクセス装置。
【請求項１４】
請求項８に記載のランダムアクセス装置であって、
前記下りリンク制御チャネルはＣ−ＲＮＴＩ又はＲＡ−ＲＮＴＩに関連している、ランダムアクセス装置。
【請求項１５】
請求項８に記載のランダムアクセス装置であって、
前記ランダムアクセスプロシージャが成功裏に完了した後に、前記ランダムアクセスプロシージャに関連する上下りリンク信号の送受信を停止し、及び／又は、測定間隔の出現可能性を無視するための第二処理ユニットをさらに含む、ランダムアクセス装置。
【請求項１６】
データ受信装置であって、
ネットワーク装置にランダムアクセスプリアンブルを送信するための第三送信ユニット；
第二セルで下りリンク制御情報をモニタリングするためのモニタリングユニットであって、前記下りリンク制御情報は前記ランダムアクセスプリアンブルに関連している、モニタリングユニット；及び
第一セルで前記下りリンク制御情報によりスケジューリングされる下りリンクデータを受信するための受信ユニットであって、前記第一セルは前記第二セルとは異なる、受信ユニットを含む、データ受信装置。
【請求項１７】
請求項１６に記載のデータ受信装置であって、
前記第一セルは、
前記下りリンク制御情報によりスケジューリングされる下りリンクデータと関連付けられる参照信号索引が提供されるセル；
前記ランダムアクセスプリアンブルが送信されるセル；又は
前記ランダムアクセスプリアンブルに対応するビーム失敗回復の設定が送信されるセルである、データ受信装置。
【請求項１８】
請求項１６に記載のデータ受信装置であって、
前記ランダムアクセスプリアンブルはビーム失敗回復のための上位層シグナリングの設定に基づいて送信される、データ受信装置。
【請求項１９】
請求項１６に記載のデータ受信装置であって、
前記第二セルは、
前記下りリンク制御情報がモニタリングされるセル；又は
特殊セル（Ｓｐｃｅｌｌ）である、データ受信装置。
【請求項２０】
請求項１６に記載のデータ受信装置であって、
前記ランダムアクセスプリアンブルはビーム失敗回復要求である、データ受信装置。
【発明の詳細な説明】
【技術分野】
【０００１】
本発明は、通信技術分野に関し、特に、ランダムアクセス方法、データ受信方法及びその装置、通信システムに関する。
【背景技術】
【０００２】
ランダムアクセスプロシージャが端末装置の初期アクセス及び上りリンク同期化を実現するための重要なプロシージャである。ランダムアクセスプロシージャは競合ベースのランダムアクセスプロシージャ及び非競合ベースのランダムアクセスプロシージャを含む。ランダムアクセスプロシージャが非競合ベースのランダムアクセスプロシージャであるときに、ランダムアクセスプロシージャの成功とは、ランダムアクセスレスポンスメッセージ（Ｍｓｇ．２）が成功裏に受信されていることを指し、ランダムアクセスプロシージャの失敗とは、Ｍｓｇ．２に関するランダムアクセスプリアンブルの送信回数が最大回数に達している又は関連ランダムプロシージャが所定時間を超えているときにユーザがＭｓｇ．２を成功裏に受信できないことを指す。ランダムアクセスプロシージャが競合ベースのランダムアクセスプロシージャであるときに、ランダムアクセスプロシージャの成功とは、競合解決メッセージ（Ｍｓｇ．４）が成功裏に受信されていることを指し、ランダムアクセスプロシージャの失敗とは、Ｍｓｇ．４に関するランダムアクセスプリアンブルの送信回数が最大回数に達している又は関連ランダムプロシージャが所定時間を超えているときにユーザがＭｓｇ．４を成功裏に受信できないことを指す。
【０００３】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００４】
発明者が次のようなことを発見した。即ち、上述のランダムアクセスプロシージャの成功の確定方法はシングルキャリアのシナリオにのみついてのものであり、ネットワーク装置が端末装置のために複数のキャリアを設定しているときに、ランダムアクセスプロシージャが開始されるセルと、ランダムアクセスレスポンスが受信されるセルとは、同一又は異なる場合がある。図１Ｂ−図１Ｃはそれぞれ同じである及び異なるシナリオを示す図である。図１Ｂに示すように、セル１でランダムアクセスプロシージャを開始した後に、依然としてセル１で該ランダムアクセスレスポンスを受信する。また、図１Ｃに示すように、セル１でランダムアクセスプロシージャを開始した後に、セル２で該ランダムアクセスレスポンスを受信する可能性がある。
【０００５】
今のところ、従来技術ではマルチキャリアのシナリオにおいてランダムアクセスプロシージャの成功不成功を確定する完璧な方法が存在しない。
【０００６】
上述の問題を解決するために、本発明の実施例はランダムアクセス方法、データ受信方法及びその装置、通信システムを提供する。
【課題を解決するための手段】
【０００７】
本実施例の第一側面によれば、ランダムアクセス装置が提供され、そのうち、前記装置は、
ネットワーク装置にランダムアクセスプリアンブルを送信するための第一送信ユニット；及び
端末装置が第一通知を受信したときに、又は、端末装置が第一通知を受信しており、且つ前記ランダムアクセスプリアンブルに関連する第一セルの条件が満足されたときに、前記ランダムアクセスプリアンブルに対応するランダムアクセスプロシージャが成功裏に完了していると確定（ｃｏｎｓｉｄｅｒ）するための第一確定ユニットを含み、
そのうち、前記第一通知は、前記端末装置の下位層（ｌｏｗｅｒ  ｌａｙｅｒ）から送信される、前記第一セルでの下りリンク制御チャネルの伝送が受信されたことの通知、及び／又は、下位層から送信される、前記ランダムアクセスプリアンブルをフィードバックするための下りリンク制御チャネルの伝送が受信されたことの通知である。
【０００８】
本実施例の第二側面によれば、ランダムアクセス装置が提供され、そのうち、前記装置は、
ネットワーク装置にランダムアクセスプリアンブルを送信するための第二送信ユニット；及び
端末装置が下りリンク制御チャネルで下りリンク割り当てを受信しており、且つ受信した対応する伝送ブロックが成功裏にデコードされているときに、又は、端末装置が下りリンク制御チャネルで下りリンク割り当てを受信しており、且つ受信した対応する伝送ブロックが成功裏にデコードされており、且つ前記ランダムアクセスプリアンブルに関連する第一セルの条件が満足されたときに、前記ランダムアクセスプリアンブルに対応するランダムアクセスプロシージャが成功裏に完了していると確定するための第二確定ユニットを含み、
そのうち、前記下りリンク制御チャネルは、第二セルの下りリンク制御チャネル、及び／又は、前記ランダムアクセスプリアンブルをフィードバックするための下りリンク制御チャネルである。
【０００９】
本実施例の第三側面によれば、データ受信装置が提供され、そのうち、前記装置は、
ネットワーク装置にランダムアクセスプリアンブルを送信するための第三送信ユニット；
第二セルで下りリンク制御情報をモニタリングするためのモニタリングユニットであって、そのうち、前記下りリンク制御情報は前記ランダムアクセスプリアンブルに関連している、モニタリングユニット；及び
第一セルで前記下りリンク制御情報によりスケジューリングされる下りリンクデータを受信するための受信ユニットであって、そのうち、前記第一セルは前記第二セルとは異なる、受信ユニットを含む。
【００１０】
本実施例の第四側面によれば、ランダムアクセス方法が提供され、そのうち、前記方法は、
端末装置がネットワーク装置にランダムアクセスプリアンブルを送信し；
前記端末装置が第一通知を受信したときに、又は、前記端末装置が第一通知を受信しており、且つ前記ランダムアクセスプリアンブルに関連する第一セルの条件が満足されたときに、前記端末装置が、前記ランダムアクセスプリアンブルに対応するランダムアクセスプロシージャが成功裏に完了していると確定（ｃｏｎｓｉｄｅｒ）することを含み、
そのうち、前記第一通知は、下位層から送信される、前記第一セルでの下りリンク制御チャネルの伝送が受信されたことの通知、及び／又は、下位層から送信される、前記ランダムアクセスプリアンブルをフィードバックするための下りリンク制御チャネルの伝送が受信されたことの通知である。
【００１１】
本実施例の第五側面によれば、ランダムアクセス方法が提供され、そのうち、前記方法は、
端末装置がネットワーク装置にランダムアクセスプリアンブルを送信し；及び
前記端末装置が下りリンク制御チャネルで下りリンク割り当てを受信しており、且つ受信した対応する伝送ブロックが成功裏にデコードされているときに、又は、前記端末装置が下りリンク制御チャネルで下りリンク割り当てを受信しており、且つ受信した対応する伝送ブロックが成功裏にデコードされており、且つ前記ランダムアクセスプリアンブルに関連する第一セルの条件が満足されたときに、前記端末装置は前記ランダムアクセスプリアンブルに対応するランダムアクセスプロシージャが成功裏に完了していると確定することを含み、
そのうち、前記下りリンク制御チャネルは、第二セルの下りリンク制御チャネル、及び／又は、前記ランダムアクセスプリアンブルをフィードバックするための下りリンク制御チャネルである。
【００１２】
本実施例の第六側面によれば、データ送信方法が提供され、そのうち、前記方法は、
ネットワーク装置が端末装置により送信されるランダムアクセスプリアンブルを受信し；
前記ネットワーク装置が第二セルで前記端末装置に下りリンク制御情報を送信し、そのうち、前記下りリンク制御情報は前記ランダムアクセスプリアンブルに関連しており；及び
前記ネットワーク装置が第一セルで前記端末装置に前記下りリンク制御情報によりスケジューリングされる下りリンクデータを送信し、そのうち、前記第一セルは前記第二セルとは異なることを含む。
【００１３】
本実施例の第七側面によれば、通信システムが提供され、該通信システムは端末装置を含み、該端末装置は前述の第一側面又は第二側面に記載のランダムアクセス装置を含み、又は、前述の第三側面に記載のデータ受信装置を含む。
【００１４】
本発明の実施例の有益な効果は次の通りであり、即ち、受信した下りリンク制御チャネルと、セル又は端末装置が送信するランダムアクセスプリアンブルとの関係に基づいてランダムアクセスプロシージャの成功不成功を確定することにより、従来技術に存在する問題を解決することができ、端末装置は、データを正確に送受信することができるため、成功率を向上させ、再送回数を減少させ、エネルギー消費を節約することができる。
【００１５】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１６】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【００１７】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１Ａ】本実施例における通信システムを示す図である。
【図１Ｂ】本実施例におけるシナリオを示す図である。
【図１Ｃ】本実施例におけるシナリオを示す図である。
【図２】実施例１におけるランダムアクセス方法のフローチャートである。
【図３】実施例２におけるランダムアクセス方法のフローチャートである。
【図４】実施例３におけるランダムアクセス方法のフローチャートである。
【図５】実施例４におけるランダムアクセス方法のフローチャートである。
【図６】実施例５におけるデータ受信方法のフローチャートである。
【図７】実施例６におけるデータ送信方法のフローチャートである。
【図８】実施例７におけるランダムアクセス装置の構成を示す図である。
【図９】実施例８におけるランダムアクセス装置の構成を示す図である。
【図１０】実施例９におけるデータ受信装置の構成を示す図である。
【図１１】実施例１０におけるデータ送信装置の構成を示す図である。
【図１２】実施例１１におけるネットワーク装置の構成を示す図である。
【図１３】実施例１１における端末装置の構成を示す図である。
【図１４】実施例１１におけるデータ送受信方法のフローチャートである。
【発明を実施するための形態】
【００１８】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載される実施形態に限定されず、即ち、本発明は、添付した特許請求の範囲内のすべての変更、変形及び代替によるものも含むということである。
【００１９】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００２０】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００２１】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００２２】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良い、これは、該用語のコンテキストによるものである。
【００２３】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００２４】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００２５】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行うマシン又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００２６】
また、用語「ネットワーク側」又は「ネットワーク装置側」とは、ネットワークの側を指し、又はる基地局であっても良く、上述のような１つ又は複数のネットワーク装置を含んでも良い。用語「ユーザ側」又は「端末側」又は「端末装置側」とは、ユーザ又は端末の側を指し、又はるＵＥであっても良く、上述のような１つ又は複数の端末装置を含んでも良い。
【００２７】
以下、例を挙げて本発明の実施例におけるシナリオについて説明を行うが、本発明は、これに限られない。
【００２８】
図１Ａは本発明の実施例の通信システムを示す図であり、ユーザ装置及びネットワーク装置を例にとる場合を例示的に説明している。図１Ａに示すように、通信システム１００はネットワーク装置１０１及び端末装置１０２を含んでも良い。便宜のため、図１Ａでは、１つのみの端末装置及び１つのみのネットワーク装置を例として説明しているが、本発明の実施例はこれに限られない。
【００２９】
本発明の実施例では、ネットワーク装置１０１と端末装置１０２との間は、従来のトラフィック又は将来実施可能なトラフィックを行っても良い。例えば、これらのトラフィックは、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでも良いが、これに限定されない。
【００３０】
将来の高周波数通信シナリオにおいて、通信リンクが物理的条件、例えば、天気、障害物、方向角度の変化などのファクターの影響を受けやすいため、元のビーム方向上の伝送の失敗を来す場合がある。ビーム失敗回復技術が主にこのようなシナリオについてのものであり、異なる方向のビームのパワーに対しての測定結果を用いて、信頼性のある新しいビーム方向を迅速に確定することで、リンクに対しての高速回復を実現することができる。ビーム失敗回復技術は、シングルキャリアの通信シナリオの場合に非常に有効であるだけであり、マルチキャリアのシナリオにおいて重要な役割を発揮することもできる。ビーム失敗回復プロシージャはランダムアクセスプロシージャ、例えば、ビーム失敗回復のためのランダムアクセスプロシージャ（ｒａｎｄｏｍ  ａｃｃｅｓｓ  ｐｒｏｃｅｄｕｒｅ  ｆｏｒ  ｂｅａｍ  ｆａｉｌｕｒｅ  ｒｅｃｏｖｅｒｙ）に基づいて実現されても良い。端末装置は物理ランダムアクセスチャネルによりビーム失敗回復要求を送信し、該ビーム失敗回復要求は対応するランダムアクセスプリアンブルであり、ネットワーク装置にビーム失敗の発生を通知し、また、ネットワーク装置にその前に維持されたバックアップビームの番号を通信することで、端末装置のビームを該バックアップビームに切り替えることができる。ネットワーク装置はビーム失敗回復要求を受信した後に、自身のビームを端末により通知されるバックアップビームに切り替え、そして、該ビーム上で１つのビーム失敗回復レスポンスを送信し、ビーム失敗回復レスポンスは対応するランダムアクセスレスポンス（ＲＡＲ、Ｒａｎｄｏｍ  Ａｃｃｅｓｓ  Ｒｅｓｐｏｎｓｅ）である。端末装置は、幾つかの条件が満足されていると判断したときに、ビーム失敗回復プロシージャが成功したと確定することができる。なお、これらの条件の実施方式については、本発明の以下の実施例で説明する。
【００３１】
また、本発明の実施例ではビーム失敗回復プロシージャに対応するランダムアクセスプロシージャを例にとって説明するが、本発明はこれに限られず、本発明は同様にランダムアクセスプロシージャを用いる他のシナリオに適用することもできる。
【００３２】
以下、図面を参照しながら本発明の実施例について詳しく説明する。
【実施例１】
【００３３】
図２は本実施例１におけるランダムアクセス方法のフローチャートであり、該方法は端末装置側に応用される。図２に示すように、該方法は以下のようなステップを含む。
【００３４】
ステップ２０１：端末装置がネットワーク装置にランダムアクセスプリアンブルを送信し；
ステップ２０２：該端末装置が第一通知を受信したときに、該端末装置は、該ランダムアクセスプリアンブルに対応するランダムアクセスプロシージャが成功裏に完了していると確定し；
そのうち、該第一通知は、下位層から送信される、該第一セルでの下りリンク制御チャネルの伝送の受信済み（即ち、該下りリンク制御チャネルの伝送が受信されたこと）の通知、及び／又は、下位層から送信される、該ランダムアクセスプリアンブルをフィードバックするための下りリンク制御チャネルの伝送の受信済みの通知である。
【００３５】
本実施例では、ステップ２０１において、端末装置は第一セルでランダムアクセスプロシージャを開始しても良く、例えば、端末装置は第一セルでネットワーク装置にランダムアクセスプリアンブルを送信する。１つの実施方式において、該端末装置はランダムアクセスプリアンブル集合におけるランダムアクセスプリアンブルを選択し、ランダムアクセスリソース集合におけるリソースを用いて該ランダムアクセスプリアンブルを送信しても良い。１つの実施方式において、ネットワーク装置は端末装置のため専用のランダムアクセスプリアンブル、及び／又は、ランダムアクセスリソース（例えば、ランダムアクセスチャネルリソース（ＲＡＣＨ  Ｒｅｓｏｕｒｃｅ）、及び／又は、ランダムアクセスプリアンブルフォーマット（Ｒａｎｄｏｍ  Ａｃｃｅｓｓ  Ｐｒｅａｍｂｌｅ  Ｆｏｒｍａｔ）を割り当てても良く、端末装置はネットワーク側の割り当てに基づいてランダムアクセスプリアンブルを送信する。該ランダムアクセスプリアンブルの一部が物理ランダムアクセスチャネル（ＰＲＡＣＨ）上の物理層にマッピングされ、端末装置が該ランダムアクセスプリアンブルを送信した後に、該端末装置は測定間隔の出現可能性を無視する。
【００３６】
ステップ２０１において、該ランダムアクセスプロシージャはビーム失敗回復プロシージャについてのランダムアクセスプロシージャであっても良く、該ランダムアクセスプリアンブルはビーム失敗回復要求であっても良く、ネットワーク装置にビーム失敗の発生を通知するために用いられる。該端末装置の媒体アクセス制御実体（ＭＡＣ  ｅｎｔｉｔｙ）がビーム失敗回復要求に対応する非競合ランダムアクセスプリアンブルを送信しても良いが、本実施例はこれに限定されず、該ランダムアクセスプロシージャは他のシナリオ（例えば、切り替え、再確立）において開始されても良く、また、該ランダムアクセスプリアンブルはビーム失敗回復要求に対応することに限られない。
【００３７】
本実施例では、ネットワーク装置は端末装置のランダムアクセスプリアンブルを受信した後に、端末装置にランダムアクセスレスポンスをフィードバックすることができ、例えば、物理下りリンク制御チャネル（ＰＤＣＣＨ）により該ランダムアクセスレスポンスをキャリー（ｃａｒｒｙ）する。端末装置は該ＰＤＣＣＨの伝送をモニタリングし又は該ランダムアクセスプリアンブルに関連するＰＤＣＣＨの伝送をモニタリングすることで、ネットワーク装置送信の制御情報を成功裏に受信できるかを確定し、そして、ランダムアクセスプロシージャの成功不成功を判断することができる。しかし、マルチキャリアのシナリオの場合、ネットワーク装置が端末装置のために複数のキャリアを設定することがあり、端末装置のサービングセル（対応するキャリア）が変わる可能性があり、即ち、現在のサービングセル（第二セル）がステップ２０１でのサービングセル（第一セル）と異なり又は同じである可能性があり、該第二セルは、該ランダムアクセスプリアンブルをフィードバックするための下りリンク制御チャネルの伝送がモニタリングされるセルであり、又は、特殊セル（ＳｐＣｅｌｌ）である。前記特殊セルは次のようなものうちの少なくとも１つを含んでも良く、即ち、デュアル接続のときのマスターセル組（ＭＣＧ）のプライマリセル（ＰＣｅｌｌ）；デュアル接続のときのセカンダリセル組（ＳＣＧ）のプライマリセル（ＰＳＣｅｌｌ）；及び、非デュアル接続のときのプライマリセルであるが、本発明はこれに限られない。よって、ＰＤＣＣＨの伝送を受信していても、該ＰＤＣＣＨの伝送がステップ２０１で送信されたランダムアクセスプリアンブルに対してのランダムアクセスレスポンスであるかを直接確定することができないため、ランダムアクセスプロシージャの成功不成功（完了しているか）を確定することができない。
【００３８】
よって、本実施例では、ステップ２０２の前に、該方法はさらに、端末装置の下位層が下りリンク制御チャネルの伝送を受信していること（図示せず）を含む。
【００３９】
本実施例では、該端末装置の下位層（ｌｏｗｅｒ  ｌａｙｅｒ）が端末装置の上位層に対して定義されるものであり、該端末装置の下位層は端末装置の物理層であっても良く、該端末装置の上位層はＭＡＣ層又は無線リソース制御（ＲＲＣ）層であっても良い。なお、その具体的な意味については従来技術の定義を参照することができ、本実施例ではこれについて限定しない。
【００４０】
１つの実施方式において、該下りリンク制御チャネルの伝送は該第一セルの下りリンク制御チャネルの伝送であり、該第一セルは、該ランダムアクセスプリアンブルに対応するランダムアクセスプロシージャが開始されるセルであり、又は、該ランダムアクセスプリアンブルが送信されるセルである。該端末装置の下位層は該端末装置のＭＡＣ実体に該下りリンク制御チャネルの伝送の受信済みの第一通知を送信し、ステップ２０２では、該端末装置のＭＡＣ実体が該第一通知を受信したときに、該ランダムアクセスプリアンブルに対応するランダムアクセスプロシージャが成功裏に完了していると確定する（又は見なす（ｃｏｎｓｉｄｅｒ））ことができる。該下りリンク制御チャネルの伝送が該第一セルの下りリンク制御チャネルの伝送であると確定しており、該第一セルが、該ランダムアクセスプリアンブルに対応するランダムアクセスプロシージャが開始されるセルであり、又は、該ランダムアクセスプリアンブルが送信されるセルであるので、端末装置は、該第一セルの下りリンク制御チャネルで正常に通信が行われていると推定することができ、そして、ステップ２０１でのランダムアクセスプリアンブルに対応するランダムアクセスプロシージャが成功裏に完了していると確定することができる。
【００４１】
１つの実施方式において、該下りリンク制御チャネルの伝送は該ステップ２０１でのランダムアクセスプリアンブルをフィードバックするための下りリンク制御チャネルの伝送である。該端末装置の下位層は該端末装置のＭＡＣ実体に該下りリンク制御チャネルの伝送の受信済みの第一通知を送信する。例えば、該下りリンク制御チャネルの伝送はビーム失敗回復要求をフィードバックするための下りリンク制御チャネルの伝送である。この場合、ステップ２０２では、該端末装置のＭＡＣ実体が該第一通知を受信したときに、該ランダムアクセスプリアンブル（例えば、ビーム失敗回復要求）に対応するランダムアクセスプロシージャが成功裏に完了していると確定する（又は見なす（ｃｏｎｓｉｄｅｒ））ことができる。該下りリンク制御チャネルの伝送が該ランダムアクセスプリアンブルをフィードバックするための下りリンク制御チャネルの伝送であると確定しているので、該下りリンク制御チャネルの伝送がステップ２０１でのランダムアクセスプリアンブルに対してのレスポンスであると確定することができ、そして、ステップ２０１でのランダムアクセスプリアンブルに対応するランダムアクセスプロシージャが成功裏に完了していると確定することができる。
【００４２】
本実施例では、上述の２つの実施方式は単独で実施されても良く、組み合わせて実施されても良い。例えば、該下りリンク制御チャネルの伝送は、第一セルでの、ステップ２０１におけるランダムアクセスプリアンブルをフィードバックするための下りリンク制御チャネルの伝送であるが、本実施例はこれに限定されない。
【００４３】
本実施例では、該下りリンク制御チャネルの伝送は、セル無線ネットワーク一時識別子（Ｃ−ＲＮＴＩ）又はランダムアクセス無線ネットワーク一時識別子（ＲＡ−ＲＮＴＩ）に関連している（ｉｓ  ａｄｄｒｅｓｓｅｄ  ｔｏ）。例えば、該下りリンク制御チャネルはＣ−ＲＮＴＩ又はＲＡ−ＲＮＴＩによりスクランブルされていても良いが、具体的なスクランブル方法については従来技術を参照することができ、ここではその詳しい説明を省略する。
【００４４】
本実施例では、ステップ２０２の後に、ランダムアクセスプロシージャが成功裏に完了しているから、該方法はさらに次のようなこと（図示せず）を含み、即ち、該端末装置が該ランダムアクセスプロシージャに関連する上下りリンク信号の送信又は受信を停止することである。例えば、端末装置は、該ランダムアクセスプロシージャに対応するランダムアクセスプリアンブルの送信を停止し、及び／又は、端末装置は、該ランダムアクセスプロシージャに対応するランダムアクセスレスポンスの受信を停止し、及び／又は、端末装置は、該ランダムアクセスプロシージャに対応するランダムアクセスレスポンスにより指示される上りリンク伝送などを停止しても良いが、本実施例はこれに限定されない。
【００４５】
上述の実施例により、下りリンク制御チャネルの伝送と、セル又は端末装置により送信されるランダムアクセスプリアンブルとの関係に基づいてランダムアクセスプロシージャの成功不成功を確定することにより、端末装置は、データを正確に送受信することができるため、成功率を向上させ、再送回数を減少させ、エネルギー消費を節約することができる。
【実施例２】
【００４６】
図３は本実施例２におけるランダムアクセス方法のフローチャートであり、該方法は端末装置側に応用される。図３に示すように、該方法は以下のようなステップを含む。
【００４７】
ステップ３０１：端末装置がネットワーク装置にランダムアクセスプリアンブルを送信し；
ステップ３０２：該端末装置が第一通知を受信しており、且つ該ランダムアクセスプリアンブルに関連する第一セルの条件が満足されたときに、該端末装置は、該ランダムアクセスプリアンブルに対応するランダムアクセスプロシージャが成功裏に完了していると確定し；
そのうち、該第一通知は、下位層から送信される、該第一セルでの下りリンク制御チャネルの伝送の受信済みの通知、及び／又は、下位層から送信される、該ランダムアクセスプリアンブルをフィードバックするための下りリンク制御チャネルの伝送の受信済みの通知である。
【００４８】
本実施例では、ステップ３０１の実施方式については実施例１におけるステップ２０１を参照することができ、ここではその詳しい説明を省略する。
【００４９】
本実施例では、ステップ３０２の前に、該方法はさらに次のようなこと（図示せず）を含んでも良く、即ち、端末装置の下位層が下りリンク制御チャネルの伝送を受信しており、そして、該端末装置のＭＡＣ実体に該下りリンク制御チャネルの伝送の受信済みの第一通知を送信することである。なお、該下りリンク制御チャネルの伝送の具体的な実施方式については実施例１を参照することができ、ここではその詳しい説明を省略する。
【００５０】
本実施例では、実施例１との相違点は次のようなことにあり、即ち、実施例１では、端末装置が該第一通知を受信したときに、該ランダムアクセスプリアンブルに対応するランダムアクセスプロシージャが成功裏に完了していると確定するに対して、本実施例では、該第一通知を受信している以外に、端末装置がさらに、該ランダムアクセスプリアンブルに関連の第一セルの条件が満足されているかを判断する必要があり、該第一通知を受信しており、且つ該条件が満足されているときに、該端末装置は、該ランダムアクセスプリアンブルに対応するランダムアクセスプロシージャが成功裏に完了していると確定する。
【００５１】
本実施例では、該ランダムアクセスプリアンブルに関連する第一セルの条件は、第一セルが第二セルと同じであり、又は、第一セルが第二セルとは異なるということである。なお、該第一セル及び第二セルの具体的な意味については実施例１を参照することができ、ここではその詳しい説明を省略する。
【００５２】
１つの実施方式において、該下りリンク制御チャネルの伝送は該第一セルの下りリンク制御チャネルの伝送である。該端末装置の下位層は該端末装置のＭＡＣ実体に該下りリンク制御チャネルの伝送の受信済みの第一通知を送信する。この場合、ステップ３０２では、該端末装置のＭＡＣ実体が該第一通知を受信しており、且つ第一セルが第二セルと同じであるときに、該ランダムアクセスプリアンブルに対応するランダムアクセスプロシージャが成功裏に完了していると確定する（又は見なす（ｃｏｎｓｉｄｅｒ））ことができる。該第一セルが第二セルと同じであり、該下りリンク制御チャネルの伝送が該第一セル及び／又は第二セルの下りリンク制御チャネルの伝送であると確定しているから、端末装置は、該第一セル及び／又は第二セルの下りリンク制御チャネルで正常な通信が行われていると推定することができ、そして、ステップ３０１でのランダムアクセスプリアンブルに対応するランダムアクセスプロシージャが成功裏に完了していると確定することができる。
【００５３】
１つの実施方式において、該下りリンク制御チャネルの伝送は該ステップ３０１でのランダムアクセスプリアンブルをフィードバックするための下りリンク制御チャネルの伝送である。該端末装置の下位層は該端末装置のＭＡＣ実体に該下りリンク制御チャネルの伝送の受信済みの第一通知を送信する。例えば、該下りリンク制御チャネルの伝送は回復失敗請求をフィードバックビームするための下りリンク制御チャネルの伝送である。この場合、ステップ３０２では、該端末装置のＭＡＣ実体が該第一通知を受信しており、且つ第一セルが第二セルと同じであるときに、該ランダムアクセスプリアンブル（例えば、ビーム失敗回復要求）に対応するランダムアクセスプロシージャが成功裏に完了していると確定する（又は見なす（ｃｏｎｓｉｄｅｒ））ことができる。該下りリンク制御チャネルの伝送が該ランダムアクセスプリアンブルをフィードバックするための下りリンク制御チャネルの伝送であると確定しているので、該下りリンク制御チャネルの伝送がステップ３０１でのランダムアクセスプリアンブルに対してのレスポンス（ビーム失敗回復要求レスポンス）であると確定することができ、そして、ステップ３０１でのランダムアクセスプリアンブルに対応するランダムアクセスプロシージャが成功裏に完了していると確定することができる。
【００５４】
本実施例では、上述の２つの実施方式は単独で実施されても良く、組み合わせて実施されても良い。例えば、該下りリンク制御チャネルの伝送は、第一セルでの、ステップ３０１におけるランダムアクセスプリアンブルをフィードバックする下りリンク制御チャネルの伝送であるが、本実施例はこれに限定されない。
【００５５】
１つの実施方式において、該下りリンク制御チャネルの伝送は該第一セルでの下りリンク制御チャネルの伝送である。該端末装置の下位層は該端末装置のＭＡＣ実体に該下りリンク制御チャネルの伝送の受信済みの第一通知を送信する。この場合、ステップ３０２では、該端末装置のＭＡＣ実体が該第一通知を受信しており、且つ第一セルが第二セルとは異なるときに、該ランダムアクセスプリアンブルに対応するランダムアクセスプロシージャが成功裏に完了していると確定する（又は見なす（ｃｏｎｓｉｄｅｒ））ことができる。該第一セルが第二セルとは異なり、該下りリンク制御チャネルの伝送が該第一セルの下りリンク制御チャネルの伝送であり、第二セルの下りリンク制御チャネルの伝送でないと確定しており、また、該第一セルが、該ランダムアクセスプリアンブルに対応するランダムアクセスプロシージャが開始されるセルであり、又は、該ランダムアクセスプリアンブルが送信されるセルであるので、端末装置は、該第一セルの下りリンク制御チャネルで正常な通信が行われていると推定することができ、そして、ステップ３０１でのランダムアクセスプリアンブルに対応するランダムアクセスプロシージャが成功裏に完了していると確定することができる。
【００５６】
１つの実施方式において、該下りリンク制御チャネルの伝送は該ステップ３０１におけるランダムアクセスプリアンブルをフィードバックするための下りリンク制御チャネルの伝送であり、該端末装置の下位層は該端末装置のＭＡＣ実体に該下りリンク制御チャネルの伝送の受信済みの第一通知を送信し、例えば、該下りリンク制御チャネルの伝送はビーム回復失敗請求をフィードバックするための下りリンク制御チャネルの伝送である。この場合、ステップ３０２では、該端末装置のＭＡＣ実体が該第一通知を受信しており、且つ第一セルが第二セルとは異なるときに、該ランダムアクセスプリアンブル（例えば、ビーム失敗回復要求）に対応するランダムアクセスプロシージャが成功裏に完了していると確定する（又は見なす（ｃｏｎｓｉｄｅｒ））ことができる。該下りリンク制御チャネルの伝送が該ランダムアクセスプリアンブル（第一セルで送信される）をフィードバックするための下りリンク制御チャネルの伝送であると確定しているから、該下りリンク制御チャネルの伝送がステップ３０１でのランダムアクセスプリアンブルに対してのレスポンス（ビーム失敗回復要求レスポンス）であると確定することができ、そして、ステップ３０１でのランダムアクセスプリアンブルに対応するランダムアクセスプロシージャが成功裏に完了していると確定することができる。
【００５７】
本実施例では、上述の２つの実施方式は単独で実施されても良く、組み合わせて実施されても良い。例えば、該下りリンク制御チャネルの伝送は第一セルでの、ステップ３０１におけるランダムアクセスプリアンブルをフィードバックするための下りリンク制御チャネルの伝送であるが、本実施例はこれに限定されない。
【００５８】
本実施例では、該下りリンク制御チャネルの伝送はセル無線ネットワーク一時識別子（Ｃ−ＲＮＴＩ）又はランダムアクセス無線ネットワーク一時識別子（ＲＡ−ＲＮＴＩ）に関連しており（ｉｓ  ａｄｄｒｅｓｓｅｄ  ｔｏ）、その具体的な実施方式については実施例１を参照することができ、ここではその詳しい説明を省略する。
【００５９】
本実施例では、ステップ３０２の後に、ランダムアクセスプロシージャが成功裏に完了しているから、該方法はさらに次のようなこと（図示せず）を含み、即ち、該端末装置が該ランダムアクセスプロシージャに関連する上下りリンク信号の送信又は受信を停止することである。なお、その具体的な実施方式については実施例１を参照することができ、ここではその詳しい説明を省略する。
【００６０】
本実施例では、上述の条件によってランダムアクセスプロシージャのシナリオをさらに明確にすることができ、即ち、該ランダムアクセスプリアンブルに対応するランダムアクセスプロシージャが開始されるセル（又は該ランダムアクセスプリアンブルが送信されるセル）が、該ランダムアクセスプリアンブルをフィードバックするための下りリンク制御チャネルの伝送がモニタリングされるセル（又は特殊セル）と同じであり又は異なるシナリオである。また、下りリンク制御チャネルの伝送と、セル又は端末装置により送信されるランダムアクセスプリアンブルとの関係に基づいてランダムアクセスプロシージャの成功不成功を確定することができる。これにより、端末装置は、データを正確に送受信することができるため、成功率を向上させ、再送回数を減少させ、エネルギー消費を節約することができる。
【実施例３】
【００６１】
図４は本実施例３におけるランダムアクセス方法のフローチャートであり、該方法は端末装置側に応用される。図４に示すように、該方法は以下のようなステップを含む。
【００６２】
ステップ４０１：端末装置がネットワーク装置にランダムアクセスプリアンブルを送信し；
ステップ４０２：該端末装置が下りリンク制御チャネルで下りリンク割り当てを受信しており、且つ受信した対応する伝送ブロックが成功裏にデコードされているときに、該端末装置は、該ランダムアクセスプリアンブルに対応するランダムアクセスプロシージャが成功裏に完了していると確定し；
そのうち、該下りリンク制御チャネルは、第二セルの下りリンク制御チャネル、及び／又は、該ランダムアクセスプリアンブルをフィードバックするための下りリンク制御チャネルである。
【００６３】
本実施例では、ステップ４０１の実施方式については実施例１におけるステップ２０１を参照することができ、ここではその詳しい説明を省略する。
【００６４】
本実施例では、実施例１との相違点は次のようなことにあり、即ち、実施例１では、端末装置が該第一通知を受信したときに、該ランダムアクセスプリアンブルに対応するランダムアクセスプロシージャが成功裏に完了していると確定するに対して、本実施例では、データチャネルが後続の上下りリンク伝送を指示する情報をキャリー（ｃａｒｒｙ）する可能性があり、又は、データチャネルの送信がチャネル品質の検出のために用いられ、データチャネルで伝送されるデータを成功裏に受信（復号化）した場合にのみそれにより指示される情報に基づいて後続の送受信を行うことができるので、ＰＤＣＣＨの受信と、ＰＤＣＣＨ上でスケジューリングされる下りリンクデータチャネル（ＰＤＳＣＨ）の受信との両方に基づいて、該ランダムアクセスプリアンブルに対応するランダムアクセスプロシージャの成功不成功を判断する必要がある。
【００６５】
本実施例では、ネットワーク装置は端末装置のランダムアクセスプリアンブルを受信した後に、端末装置にランダムアクセスレスポンスをフィードバックすることができ、例えば、物理下りリンク制御チャネル（ＰＤＣＣＨ）で受信した下りリンク割り当てにより該レスポンスをキャリー（ｃａｒｒｙ）する。端末装置は該下りリンク割り当て（ｄｏｗｎｌｉｎｋ  ａｓｓｉｇｎｍｅｎｔ）モニタリングし、又は、該ランダムアクセスプリアンブルに関連付けられる下りリンク割り当てをモニタリングすることで、ネットワーク装置送信の制御情報を成功裏に受信できるか確定し、そして、ランダムアクセスプロシージャの成功不成功を判断することができる。しかし、マルチキャリアのシナリオの場合、ネットワーク装置が端末装置のために複数のキャリアを設定する可能性があり、端末装置のサービングセル（対応するキャリア）が変わる可能性があり、即ち、現在のサービングセル（第二セル）がステップ４０１でのサービングセル（第一セル）と異なり又は同じである可能性があり、該第二セルは該ランダムアクセスプリアンブルをフィードバックするための下りリンク割り当てがモニタリングされるセルであり、又は、是特殊セル（ＳｐＣｅｌｌ）である。よって、ＰＤＣＣＨ上で下りリンク割り当てを受信していても、該下りリンク割り当てがステップ４０１で送信されるランダムアクセスプリアンブルに対してのランダムアクセスレスポンスであるかを直接確定することができないため、ランダムアクセスプロシージャの成功不成功（完了しているか）を確定するができない。
【００６６】
よって、本実施例では、ステップ４０２の前に、該方法はさらに次のようなこと（図示せず）を含んでも良く、即ち、端末装置が下りリンク制御チャネル上の下りリンク割り当てをモニタリングし、該ＰＤＣＣＨ上で下りリンク割り当てを受信したときに、該ＰＤＣＣＨでスケジューリングされるＰＤＳＣＨ上で伝送ブロック（ＰＤＳＣＨ上でデータは伝送ブロックを基本伝送ユニットとする）を受信し、該受信した伝送ブロックを復号化することである。
【００６７】
本実施例では、該下りリンク割り当てとは、下りリンクデータのスケジューリングを含む下りリンク制御情報（ＤＣＩ）を指す。例えば、端末装置の下位層（例えば、物理層）で、ＰＤＳＣＨの指示を含む１つのＤＣＩを受信しており、端末装置はＤＣＩの中の指示情報に基づいて対応するリソース上でＰＤＳＣＨを受信し、受信したＰＤＳＣＨは、事前設定のルールに従って巡回冗長検査（ＣＲＣ）を行うことができる。ＣＲＣが成功したときに、端末装置は伝送ブロックの復号化が成功したと見なすことができる。
【００６８】
１つの実施方式において、該下りリンク制御チャネルは該第二セルの下りリンク制御チャネルであり、該第二セルは該ランダムアクセスプリアンブルをフィードバックするための下りリンク割り当てがモニタリングされるセルであり、又は、特殊セル（ＳｐＣｅｌｌ）である。この場合、ステップ４０２では、該端末装置のＭＡＣ実体が該下りリンク制御チャネルで下りリンク割り当てを受信しており、且つ受信した対応する伝送ブロックが成功裏にデコードされているときに、該ランダムアクセスプリアンブルに対応するランダムアクセスプロシージャが成功裏に完了していると確定する（又は見なす（ｃｏｎｓｉｄｅｒ））ことができる。該第二セルの下りリンク割り当て及び対応する伝送ブロックを成功裏に受信しているので、ネットワーク装置と端末装置との間で通信が正常に行われており、該ランダムアクセスプロシージャを継続して行う必要がないと確定することができ、そして、ステップ４０１におけるランダムアクセスプリアンブルに対応するランダムアクセスプロシージャが成功裏に完了していると確定することができる。
【００６９】
該実施方式では、オプションとして、該伝送ブロックは該第一セルで受信する伝送ブロックであっても良いが、本実施例はこれに限定されない。
【００７０】
１つの実施方式において、該下りリンク制御チャネルは該ステップ４０１でのランダムアクセスプリアンブルをフィードバックするための下りリンク制御チャネルであり、例えば、該下りリンク制御チャネルは回復失敗請求をフィードバックするための下りリンク制御チャネルである。この場合、ステップ４０２では、該端末装置のＭＡＣ実体が該下りリンク制御チャネルで下りリンク割り当てを受信しており、且つ受信した対応する伝送ブロックが成功裏にデコードされているときに、該ランダムアクセスプリアンブル（例えば、ビーム失敗回復要求）に対応するランダムアクセスプロシージャが成功裏に完了していると確定する（又は見なす（ｃｏｎｓｉｄｅｒ））ことができる。該ランダムアクセスプリアンブルをフィードバックするための下りリンク割り当て及び対応する伝送ブロックを成功裏に受信しているから、ネットワーク装置と端末装置との間で正常な通信が行われており、該ランダムアクセスプロシージャを継続して行う必要がないと推定することができ、そして、ステップ４０１におけるランダムアクセスプリアンブルに対応するランダムアクセスプロシージャが成功裏に完了していると確定することができる。
【００７１】
該実施方式では、オプションとして、該伝送ブロックは該第一セルで受信する伝送ブロックであっても良いが、本実施例はこれに限定されない。
【００７２】
本実施例では、上述の２つの実施方式は単独で実施されても良く、組み合わせて実施されても良い。例えば、該下りリンク制御チャネルは、第二セルでの、ステップ４０１におけるランダムアクセスプリアンブルをフィードバックするための下りリンク制御チャネルであるが、本実施例はこれに限定されない。
【００７３】
本実施例では、該下りリンク制御チャネルは、セル無線ネットワーク一時識別子（Ｃ−ＲＮＴＩ）又はランダムアクセス無線ネットワーク一時識別子（ＲＡ−ＲＮＴＩ）に関連しており（ＰＤＣＣＨ  ｆｏｒ  ｔｈｅ  Ｃ−ＲＮＴＩ  ｏｒ  ＲＡ−ＲＮＴＩ）、その具体的な実施方式については実施例１を参照することができ、ここではその詳しい説明を省略する。
【００７４】
本実施例では、ステップ４０２の後に、ランダムアクセスプロシージャが成功裏に完了しているから、該方法はさらに次のようなこと（図示せず）を含み、即ち、該端末装置が該ランダムアクセスプロシージャに関連する上下りリンク信号の送信又は受信を停止することである。なお、その具体的な実施方式については実施例１を参照することができ、ここではその詳しい説明を省略する。
【００７５】
上述の実施例により、下りリンク制御チャネルと、セル又は端末装置が送信するランダムアクセスプリアンブルとの関係に基づいてランダムアクセスプロシージャの成功不成功を確定することにより、端末装置は、データを正確に送受信することができるため、成功率を向上させ、再送回数を減少させ、エネルギー消費を節約することができる。
【実施例４】
【００７６】
図５は本実施例４におけるランダムアクセス方法のフローチャートであり、該方法は端末装置側に応用される。図５に示すように、該方法は以下のようなステップを含む。
【００７７】
ステップ５０１：端末装置がネットワーク装置にランダムアクセスプリアンブルを送信し；
ステップ５０２：該端末装置が下りリンク制御チャネルで下りリンク割り当てを受信しており、且つ受信した対応する伝送ブロックが成功裏にデコードされており、且つ該ランダムアクセスプリアンブルに関連する第一セルの条件が満足されたときに、該端末装置は、該ランダムアクセスプリアンブルに対応するランダムアクセスプロシージャが成功裏に完了していると確定し；
そのうち、該下りリンク制御チャネルは、第二セルの下りリンク制御チャネル、及び／又は、該ランダムアクセスプリアンブルをフィードバックするための下りリンク制御チャネルである。
【００７８】
本実施例では、ステップ５０１の実施方式については実施例１におけるステップ５０１を参照することができ、ここではその詳しい説明を省略する。
【００７９】
よって、本実施例では、ステップ５０２の前に、該方法はさらに次のようなこと（図示せず）を含んでも良く、即ち、端末装置が下りリンク制御チャネル上の下りリンク割り当てをモニタリングし、該ＰＤＣＣＨ上で下りリンク割り当てを受信したときに、該ＰＤＣＣＨでスケジューリングされるＰＤＳＣＨ上で伝送ブロック（ＰＤＳＣＨ上でデータは伝送ブロックを基本伝送ユニットとする）を受信し、該受信した伝送ブロックをデコードすることである。なお、該下りリンク制御チャネルの具体的な実施方式については実施例３を参照することができ、ここではその詳しい説明を省略する。
【００８０】
本実施例では、実施例３との相違点は次のようなことにあり、即ち、実施例３では、端末装置が該下りリンク割り当てを受信しており、且つ受信した対応する伝送ブロックが成功裏にデコードされているときに、該ランダムアクセスプリアンブルに対応するランダムアクセスプロシージャが成功裏に完了していると確定するに対して、本実施例では、該下りリンク割り当てを受信しており、且つ受信した対応する伝送ブロックが成功裏にデコードされている以外に、端末装置がさらに、該ランダムアクセスプリアンブルに関連する第一セルの条件が満足されたかを判断する必要があり、該下りリンク割り当てを受信しており、且つ受信した対応する伝送ブロックが成功裏にデコードされており、且つ該条件が満足されたときに、該端末装置は、該ランダムアクセスプリアンブルに対応するランダムアクセスプロシージャが成功裏に完了していると確定する。
【００８１】
本実施例では、該ランダムアクセスプリアンブルに関連する第一セルの条件は、第一セルが第二セルと同じであり、又は、第一セルが第二セルとは異なるということである。なお、該第一セルの具体的な意味については実施例１を参照することができ、該第二セルは該ランダムアクセスプリアンブルをフィードバックするための下りリンク割り当てがモニタリングされるセルであり、又は、特殊セル（ＳｐＣｅｌｌ）である。該条件は実施例２と同様である。
【００８２】
１つの実施方式において、該下りリンク制御チャネルは該第二セルの下りリンク制御チャネルである。この場合、ステップ５０２では、該端末装置のＭＡＣ実体が該下りリンク制御チャネルで下りリンク割り当てを受信しており、且つ受信した対応する伝送ブロックが成功裏にデコードされており、且つ第一セルが第二セルと同じであるときに、該ランダムアクセスプリアンブルに対応するランダムアクセスプロシージャが成功裏に完了していると確定する（又は見なす（ｃｏｎｓｉｄｅｒ））ことができる。該第一セルが第二セルと同じであるシナリオにおいて、該第一セル及び／又は第二セルの下りリンク割り当て及び対応する伝送ブロックを成功裏に受信しているから、ネットワーク装置と端末装置との間で正常な通信が行われており、該ランダムアクセスプロシージャを継続して行う必要がないと判断することができ、そして、ステップ５０１でのランダムアクセスプリアンブルに対応するランダムアクセスプロシージャが成功裏に完了していると確定することができる。
【００８３】
該実施方式では、オプションとして、該伝送ブロックは該第一セル及び／又は第二セルで受信する伝送ブロックであっても良いが、本実施例はこれに限定されない。
【００８４】
１つの実施方式において、該下りリンク制御チャネルは該ステップ５０１におけるランダムアクセスプリアンブルをフィードバックするための下りリンク制御チャネルであり、例えば、該下りリンク制御チャネルはビーム回復失敗請求をフィードバックするための下りリンク制御チャネルである。この場合、ステップ５０２では、該端末装置のＭＡＣ実体が該下りリンク制御チャネルで下りリンク割り当てを受信しており、且つ受信した対応する伝送ブロックが成功裏にデコードされており、且つ第一セルが第二セルと同じであるときに、該ランダムアクセスプリアンブル（例えば、ビーム失敗回復要求）に対応するランダムアクセスプロシージャが成功裏に完了していると確定する（又は見なす（ｃｏｎｓｉｄｅｒ））ことができる。該第一セルが第二セルと同じであるシナリオにおいて、該ランダムアクセスプリアンブルをフィードバックするための下りリンク割り当て及び対応する伝送ブロックを成功裏に受信しているので、ネットワーク装置と端末装置との間で正常な通信が行われており、該ランダムアクセスプロシージャを継続して行う必要がないと推定することができ、そして、ステップ５０１におけるランダムアクセスプリアンブルに対応するランダムアクセスプロシージャが成功裏に完了していると確定することができる。
【００８５】
該実施方式では、オプションとして、該伝送ブロックは該第一セル及び／又は第二セルで受信する伝送ブロックであっても良いが、本実施例はこれに限定されない。
【００８６】
本実施例では、上述の２つの実施方式は単独で実施されても良く、組み合わせて実施されても良い。例えば、該下りリンク制御チャネルは、第二セルでの、ステップ５０１におけるランダムアクセスプリアンブルをフィードバックするための下りリンク制御チャネルであるが、本実施例はこれに限定されない。
【００８７】
１つの実施方式において、該下りリンク制御チャネルは該第二セルの下りリンク制御チャネルである。この場合、ステップ５０２では、該端末装置のＭＡＣ実体が該下りリンク制御チャネルで下りリンク割り当てを受信しており、且つ受信した対応する伝送ブロックが成功裏にデコードされており、且つ第一セルが第二セルとは異なるときに、該ランダムアクセスプリアンブルに対応するランダムアクセスプロシージャが成功裏に完了していると確定する（又は見なす（ｃｏｎｓｉｄｅｒ））ことができる。該第一セルが第二セルとは異なるシナリオにおいて、該第二セルの下りリンク割り当て及び対応する伝送ブロックを成功裏に受信しているから、ネットワーク装置と端末装置との間で通信が正常に行われており、該ランダムアクセスプロシージャを継続して行う必要がないと推定することができ、そして、ステップ５０１におけるランダムアクセスプリアンブルに対応するランダムアクセスプロシージャが成功裏に完了していると確定することができる。
【００８８】
該実施方式では、オプションとして、該伝送ブロックは該第一セルで受信する伝送ブロックであっても良いが、本実施例はこれに限定されない。
【００８９】
１つの実施方式において、該下りリンク制御チャネルは該ステップ５０１におけるランダムアクセスプリアンブルをフィードバックするための下りリンク制御チャネルであり、例えば、該下りリンク制御チャネルはビーム回復失敗請求をフィードバックするための下りリンク制御チャネルである。この場合、ステップ５０２では、該端末装置のＭＡＣ実体が該下りリンク制御チャネルで下りリンク割り当てを受信しており、且つ受信した対応する伝送ブロックが成功裏にデコードされており、且つ第一セルが第二セルとは異なときに、該ランダムアクセスプリアンブル（例えば、ビーム失敗回復要求）に対応するランダムアクセスプロシージャが成功裏に完了していると確定する（又は見なす（ｃｏｎｓｉｄｅｒ））ことができる。第一セルが第二セルとは異なるシナリオにおいて、該ランダムアクセスプリアンブル（第一セルで送信される）をフィードバックするための下りリンク割り当て及び対応する伝送ブロックを成功裏に受信しているので、ネットワーク装置と端末装置との間で正常な通信が行われており、該ランダムアクセスプロシージャを継続して行う必要がないと推定することができ、そして、ステップ５０１におけるランダムアクセスプリアンブルに対応するランダムアクセスプロシージャが成功裏に完了していると確定することができる。
【００９０】
該実施方式では、オプションとして、該伝送ブロックは該第一セルで受信する伝送ブロックであっても良いが、本実施例はこれに限定されない。
【００９１】
本実施例では、上述の２つの実施方式は単独で実施されても良く、組み合わせて実施されても良い。例えば、該下りリンク制御チャネルは、第二セルでの、ステップ５０１におけるランダムアクセスプリアンブルをフィードバックするための下りリンク制御チャネルであるが、本実施例はこれに限定されない。
【００９２】
本実施例では、該下りリンク制御チャネルは、セル無線ネットワーク一時識別子（Ｃ−ＲＮＴＩ）又はランダムアクセス無線ネットワーク一時識別子（ＲＡ−ＲＮＴＩ）に関連している。なお。その具体的な実施方式については実施例３を参照することができ、ここではその詳しい説明を省略する。
【００９３】
本実施例では、ステップ５０２の後に、ランダムアクセスプロシージャが成功裏に完了しているので、該方法はさらに次のようなこと（図示せず）を含み、即ち、該端末装置が該ランダムアクセスプロシージャに関連する上下りリンク信号の送信又は受信を停止することである。なお、その具体的な実施方式については実施例１を参照することができ、ここではその詳しい説明を省略する。
【００９４】
本実施例では、このような条件によってランダムアクセスプロシージャのシナリオをさらに明確にすることができ、即ち、該ランダムアクセスプリアンブルに対応するランダムアクセスプロシージャが開始されるセル（又は該ランダムアクセスプリアンブルが送信されるセル）が、該ランダムアクセスプリアンブルをフィードバックするための下りリンク割り当てがモニタリングされるセル（又は特殊セル）と同じであり又は異なるシナリオである。また、下りリンク制御チャネルと、セル又は端末装置が送信するランダムアクセスプリアンブルとの関係に基づいてランダムアクセスプロシージャの成功不成功を確定することができる。これにより、端末装置は、データを正確に送受信することができるため、成功率を向上させ、再送回数を減少させ、エネルギー消費を節約することができる。
【００９５】
なお、上述の実施例１−４は単独で実施されても良く、任意の２つ以上を組み合わせて実施されても良い。即ち、ランダムアクセスプロシージャの成功不成功（完了しているか）を確定するときに、実施例１−４におけるステップ２０２、３０２、４０２、５０２のうちの任意の２つ以上のステップを組み合わせて判断を行っても良く、そのうちの少なくとも１つのステップの要求が満足されたときに、ランダムアクセスプロシージャが成功裏に完了していると確定しても良いが、ここではその網羅的な記載を省略する。
【００９６】
上述の実施例１−４におけるステップ２０２、３０２、４０２、５０２では上述の異なるシナリオにおける端末装置のＭＡＣ実体のビヘイビア（ｂｅｈａｖｉｏｒ）を説明しており、即ち、如何にランダムアクセスプロシージャの成功不成功（完了しているか）を確定するかを説明している。以下、実施例５及び図６に基づいて上述のシナリオ（図１Ｃ）において端末装置の物理層のビヘイビア（操作）を説明する。
【実施例５】
【００９７】
図６は本実施例５におけるランダムアクセス方法のフローチャートであり、該方法は端末装置側に応用される。図６に示すように、該方法は以下のようなステップを含む。
【００９８】
ステップ６０１：端末装置がネットワーク装置にランダムアクセスプリアンブルを送信し；
ステップ６０２：端末装置が第二セルで下りリンク制御情報をモニタリングし、そのうち、該下りリンク制御情報は該ランダムアクセスプリアンブルに関連しており；
ステップ６０３：該端末装置が第一セルで該下りリンク制御情報によりスケジューリングされる下りリンクデータを受信し、そのうち、該第一セルは該第二セルとは異なる。
【００９９】
本実施例では、ステップ６０１の実施方式については実施例１のステップ２０１を参照することができ、ここではその詳しい説明を省略する。例えば、端末装置は第一セルで該ランダムアクセスプリアンブルを送信することができる。即ち、第一セルは、該ランダムアクセスプリアンブルが送信されるセルであるが、本実施例はこれに限定されない。該第一セルはさらに、該下りリンク制御情報に関連付けされる参照信号索引（ｉｎｄｅｘ）が提供されるセル、及び／又は、該ランダムアクセスプリアンブルに対応するビーム失敗回復の設定が送信されるセルであっても良い。
【０１００】
例えば、該第一セルは該ランダムアクセスプリアンブルが送信されるセルであり、該ランダムアクセスプリアンブルがビーム失敗回復要求であるときに、ステップ６０１の前に、該方法はさらに次のようなこと（図示せず）を含んでも良く、即ち、該端末装置がネットワーク装置により上位層シグナリングを用いて送信する第一設定を受信し、該第一設定（例えば、ＰＲＡＣＨ−ＲｅｓｏｕｒｃｅＤｅｄｉｃａｔｅｄＢＦＲ）はビーム失敗回復のための特定のＰＲＡＣＨリソースを指示し、該第一設定は次のような設定情報の少なくとも１つを含んでも良く、即ち、ビーム失敗回復のために設定するルートシーケンス情報、非競合ビーム失敗回復ベースのランダムアクセス機会設定情報、ビーム失敗回復を受信するためのサーチ空間情報、候補ビーム参照信号リスト情報、ランダムアクセスプロシージャ（例えば、該ランダムアクセスプロシージャは、（ｆｏｒ）ビーム失敗回復についてのランダムアクセスプロシージャであっても良い）の優先度を区別するためのパラメータである。端末装置は該第一設定に基づいて該第一セルで該ランダムアクセスプリアンブルを送信する。
【０１０１】
例えば、該第一セルは、該下りリンク制御情報によりスケジューリングされる下りリンクデータと関連付けられる参照信号索引が提供されるセルであっても良く、そのうち、参照信号索引は該下りリンクデータと関連付けられており、該下りリンクデータが該参照信号索引に対応する参照信号と関連付けられるＱＣＬ（ｑｕａｓｉ  ｃｏ−ｌｏｃａｔｅｄ）パラメータに基づいて受信されるものであると示し、該方法はさらに次のようなこと（図示せず）を含んでも良く、即ち、端末装置が、第一セルでネットワーク装置が上位層シグナリングにより送信する参照信号索引を受信し、該参照信号索引はネットワーク装置が候選ビーム参照信号リスト（ｃａｎｄｉｄａｔｅＢｅａｍＲＳｌｉｓｔ）から選択した索引である。該参照信号は次のようなものうちの少なくとも１つを含んでも良く、即ち、チャネル状態情報参照信号（ＣＳＩ−ＲＳ、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、同期信号（ＳＳ、Ｓｙｎｃｈｒｏｎｉｚａｔｉｏｎ  Ｓｉｇｎａｌ）、物理ブロードキャストチャネル（ＰＢＣＨ、Ｐｈｙｓｉｃａｌ  Ｂｒｏａｄｃａｓｔ  Ｃｈａｎｎｅｌ）である。
【０１０２】
例えば、該第一セルは該ランダムアクセスプリアンブルに対応するビーム失敗回復の設定が送信されるセルであっても良く、即ち、該ランダムアクセスプリアンブルがビーム失敗回復要求であるときに、ステップ６０１の前に、該方法はさらに次のようなこと（図示せず）を含んでも良く、即ち、該端末装置が、第一セルでネットワーク装置が上位層シグナリングにより送信する第一設定（ビーム失敗回復の設定）を受信することである。なお、該第一設定は具体的には前述と同様であり、ここではその詳しい説明を省略する。
【０１０３】
本実施例では、ランダムアクセスプリアンブルが送信されるセルは、参照信号索引が提供されるセルと同じであっても良く、ランダムアクセスプリアンブルに対応するビーム失敗回復の設定が送信されるセルと同じであっても良いが、本実施例はこれに限定されない。
【０１０４】
本実施例では、ステップ６０２において、該下りリンク制御情報はステップ６０１におけるランダムアクセスプリアンブルに関連しており、ランダムアクセスレスポンス（例えば、ＢＦＲ  ＲＡＲ）を示し、例えば、該下りリンク制御情報（ＤＣＩ）は下りリンク制御チャネルによりキャリー（ｃａｒｒｙ）され、下りリンクデータをスケジューリングするために用いられる。該ＤＣＩの具体的な実施方式については従来技術を参照することができる。該下りリンク制御チャネルは該ランダムアクセスプリアンブルをフィードバックするための下りリンク制御チャネルであり、即ち、ＰＲＡＣＨの伝送に対応するＰＤＣＣＨである。なお、該下りリンク制御チャネルの実施方式については実施例３又は実施例４を参照することができ、ここではその詳しい説明を省略する。
【０１０５】
本実施例では、ステップ６０２の前に、該方法はさらに次のようなこと（図示せず）を含んでも良く、即ち、端末装置が、ネットワーク装置が上位層シグナリングにより送信すする第二設定を受信し、該第二設定はビーム失敗回復要求のランダムアクセスレスポンス（ＢＦＲ  ＲＡＲ、即ち、ビーム失敗回復要求レスポンス）のサーチ空間を指示し、また、該下りリンク制御情報をモニタリングすることは、端末装置が該第二設定に基づいて該サーチ空間で下りリンク制御チャネル（Ｃ−ＲＮＴＩによりスクランブルされている）を受信し、そして、デスクランブルした後に、該下りリンク制御情報を取得することを含む。
【０１０６】
本実施例では、該第二セルは、該下りリンク制御情報がモニタリングされるセルであり、又は、該第二セルはＳｐｃｅｌｌである。
【０１０７】
本実施例では、第一セルが第二セルとは異なるときに、ステップ６０３において、端末装置は、第一セルで該下りリンク制御情報によりスケジューリングされる下りリンクデータを受信すると見なし（ａｓｓｕｍｅ）、そのうち、受信は検出、モニタリング、復調、復号などの操作のうちの少なくとも１つを含む。
【０１０８】
本実施例では、上述の上位層シグナリングは媒体アクセス制御（ＭＡＣ、Ｍｅｄｉａ  Ａｃｃｅｓｓ  Ｃｏｎｔｒｏｌ）層又は無線リソース制御（ＲＲＣ）シグナリングであっても良い。
【０１０９】
これにより、端末装置は、該第一セルで該下りリンクデータを受信したときに、該第一セルのチャネル品質が良くなっていると推定することができ、そして、第一セルのビーム失敗が回復していると確定することができる。これにより、対応するランダムプロシージャをタイムリーに停止し、エネルギー消費を節約することができる。
【実施例６】
【０１１０】
図７は本実施例６におけるデータ送信方法のフローチャートであり、該方法はネットワーク装置側に応用される。図７に示すように、該方法は以下のようなステップを含む。
【０１１１】
ステップ７０１：ネットワーク装置が端末装置送信のランダムアクセスプリアンブルを受信し；
ステップ７０２：該ネットワーク装置が第二セルで端末装置に下りリンク制御情報を送信し、そのうち、該下りリンク制御情報は該ランダムアクセスプリアンブルに関連しており；
ステップ７０３：該ネットワーク装置が第一セルで該端末装置に該下りリンク制御情報によりスケジューリングされる下りリンクデータを送信し、そのうち、該第一セルは該第二セルとは異なる。
【０１１２】
本実施例では、ステップ７０１−７０３は実施例５のステップ６０１−６０３に対応するため、ここでは重複説明を省略する。
【０１１３】
例えば、該第一セルは該ランダムアクセスプリアンブルが送信されるセルであり、該ランダムアクセスプリアンブルがビーム失敗回復要求であるときに、ステップ７０１の前に、該方法はさらに次のようなこと（図示せず）を含んでも良く、即ち、ネットワーク装置が上位層シグナリングにより該端末装置に第一設定を送信することであり、該第一設定の具体的な実施方式については実施例５を参照することができ、ここではその詳しい説明を省略する。
【０１１４】
例えば、該第一セルは、該下りリンク制御情報によりスケジューリングされる下りリンクデータと関連付けられる参照信号索引が提供されるセルであっても良く、該参照信号は、候選ビーム参照信号であっても良く、該方法はさらに次のようなこと（図示せず）を含んでも良く、即ち、ネットワーク装置が候選ビーム参照信号リスト（ｃａｎｄｉｄａｔｅＢｅａｍＲＳｌｉｓｔ）のうちから１つの参照信号索引を選択し、第一セルで上位層シグナリングにより端末装置に該参照信号索引を送信することである。
【０１１５】
例えば、該第一セルは、該ランダムアクセスプリアンブルに対応するビーム失敗回復の設定が送信されるセルであっても良く、即ち、該ランダムアクセスプリアンブルがビーム失敗回復要求であるときに、ステップ７０１の前に、該方法はさらに次のようなこと（図示せず）を含んでも良く、即ち、ネットワーク装置が第一セルで上位層シグナリングにより端末装置に第一設定（ビーム失敗回復の設定）を送信することであり、該第一設定は具体的には前述と同様であるから、ここではその詳しい説明を省略する。
【０１１６】
本実施例では、上述の上位層シグナリングは媒体アクセス制御（ＭＡＣ、Ｍｅｄｉａ  Ａｃｃｅｓｓ  Ｃｏｎｔｒｏｌ）層又は無線リソース制御（ＲＲＣ）シグナリングであっても良い。
【０１１７】
本実施例では、ステップ７０２において、ネットワーク装置はＣ−ＲＮＴＩによりＰＤＣＣＨをスクランブルし、該ＰＤＣＣＨは該ランダムアクセスプリアンブルをフィードバックするためのＰＤＣＣＨであり、該ＰＤＣＣＨはＤＣＩをキャリー（ｃａｒｒｙ）し、また、第二セルで端末装置に該ＤＣＩを送信する。
【０１１８】
本実施例では、該第二セルは、該下りリンク制御情報が送信されるセルであり、又は、該第二セルはＳｐｃｅｌｌである。
【０１１９】
本実施例では、ステップ７０３において、第一セルが第二セルとは異なるときに、ネットワーク装置は第一セルで該端末装置に該下りリンク制御情報によりスケジューリングされる下りリンクデータを送信することで、端末装置に、第一セルで該下りリンク制御情報によりスケジューリングされる下りリンクデータを受信させ、第二セルで該下りリンク制御情報によりスケジューリングされる下りリンクデータを受信させない。
【０１２０】
本実施例では、ステップ７０３において、該ネットワーク装置はステップ７０１で受信したランダムアクセスプリアンブルに対応する参照信号に基づいて該下りリンクデータを送信し、そのうち、該方法はさらに次のようなこと（図示せず）を含んでも良く、即ち、該ネットワーク装置が上位層シグナリングにより該ランダムアクセスプリアンブルのランダムアクセス機会（ＲＡＣＨ  ｏｃｃａｓｉｏｎ）と、該参照信号との対応関係を設定し、該上位層シグナリングはＲＲＣシグナリングであっても良い。該対応関係及びランダムアクセスプリアンブルに基づいて、該ランダムアクセスプリアンブルに対応する参照信号を確定することができる。該ネットワーク装置が該下りリンクデータを送信するために使用するアンテナポートと該参照信号を送信するために使用するアンテナポートとはＱＣＬである。該参照信号は次のようなものうちの少なくとも１つを含んでも良く、即ち、チャネル状態情報参照信号（ＣＳＩ−ＲＳ、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、同期信号（ＳＳ、Ｓｙｎｃｈｒｏｎｉｚａｔｉｏｎ  Ｓｉｇｎａｌ）、物理ブロードキャストチャネル（ＰＢＣＨ、Ｐｈｙｓｉｃａｌ  Ｂｒｏａｄｃａｓｔ  Ｃｈａｎｎｅｌ）などである。
【０１２１】
これにより、ネットワーク装置は、正確な指示情報を用いて下りリンクデータを送信することができるため、データ伝送の成功率を向上させ、再送回数を減少させ、エネルギー消費を節約することができる。
【実施例７】
【０１２２】
本実施例７ではさらにランダムアクセス装置が提供される。該装置が問題を解決する原理が実施例１又は実施例２の方法と類似しているから、その具体的な実施については実施例１又は実施例２の方法の実施を参照することができ、ここでは、内容が同じである重複説明が省略される。
【０１２３】
図８は該ランダムアクセス装置の構成を示す図である。図８に示すように、該装置８００は以下のようなものを含む。
【０１２４】
第一送信ユニット８０１：ネットワーク装置にランダムアクセスプリアンブルを送信し；
第一確定ユニット８０２：端末装置が第一通知を受信したときに、又は、端末装置が第一通知を受信しており、且つ該ランダムアクセスプリアンブルに関連する第一セルの条件が満足されたときに、該ランダムアクセスプリアンブルに対応するランダムアクセスプロシージャが成功裏に完了していると確定（ｃｏｎｓｉｄｅｒ）し；
そのうち、該第一通知は、該端末装置の下位層から送信される、該第一セルでの下りリンク制御チャネルの伝送の受信済みの通知、及び／又は、下位層から送信される、該ランダムアクセスプリアンブルをフィードバックするための下りリンク制御チャネルの伝送の受信済みの通知である。
【０１２５】
本実施例では、第一送信ユニット８０１及び第一確定ユニット８０２の実施方式については実施例１のステップ２０１−２０２、実施例２のステップ３０１−３０２を参照することができ、ここではその詳しい説明を省略する。
【０１２６】
本実施例では、該条件は、該第一セルが第二セルと同じであり、又は、該第一セルが第二セルとは異なるということである。なお、該第一セル及び第二セルの実施方式については実施例１又は実施例２を参照することができ、ここではその詳しい説明を省略する。
【０１２７】
本実施例では、ランダムアクセスプリアンブルはビーム失敗回復要求であり、該下りリンク制御チャネルの伝送はＣ−ＲＮＴＩ又はＲＡ−ＲＮＴＩに関連している（ｉｓ  ａｄｄｒｅｓｓｅｄ  ｔｏ）。
【０１２８】
本実施例では、オプションとして、該装置はさらに次のようなもの（図示せず）を含む。
【０１２９】
第一送受信ユニット：下りリンク制御チャネルの伝送を受信し、該端末装置のＭＡＣ実体に、該下りリンク制御チャネルの伝送を受信したことの第一通知を送信し、該端末装置のＭＡＣ実体は下位層から送信される第一通知を受信する。なお、該下りリンク制御チャネルの伝送の具体的な実施方式については実施例１を参照することができ、ここではその詳しい説明を省略する。
【０１３０】
本実施例では、オプションとして、該装置はさらに以下のようなもの（図示せず）を含む。
【０１３１】
第一処理ユニット：ランダムアクセスプロシージャが成功裏に完了した後に、該ランダムアクセスプロシージャに関連する上下りリンク信号の送信又は受信を停止し、及び／又は、測定間隔の出現可能性を無視する。
【０１３２】
上述の実施例により、下りリンク制御チャネルの伝送と、セル又は端末装置が送信するランダムアクセスプリアンブルとの関係に基づいてランダムアクセスプロシージャの成功不成功を確定することにより、端末装置は、データを正確に送受信することができるため、成功率を向上させ、再送回数を減少させ、エネルギー消費を節約することができる。
【実施例８】
【０１３３】
本実施例８ではさらにランダムアクセス装置が提供される。該装置が問題を解決する原理が実施例３又は実施例４の方法と同様であるから、その具体的な実施については実施例３又は実施例４の方法の実施を参照することができ、ここでは内容が同じである重複説明が省略される。
【０１３４】
図９は該ランダムアクセス装置の構成を示す図であり、図９に示すように、該装置９００は以下のようものを含む。
【０１３５】
第二送信ユニット９０１：ネットワーク装置にランダムアクセスプリアンブルを送信し；
第二確定ユニット９０２：端末装置が下りリンク制御チャネルで下りリンク割り当てを受信しており、且つ受信した対応する伝送ブロックが成功裏にデコードされているときに、又は、端末装置が下りリンク制御チャネルで下りリンク割り当てを受信しており、且つ受信した対応する伝送ブロックが成功裏にデコードされており、且つ該ランダムアクセスプリアンブルに関連する第一セルの条件が満足されたときに、該ランダムアクセスプリアンブルに対応するランダムアクセスプロシージャが成功裏に完了していると確定し；
そのうち、該下りリンク制御チャネルは、第二セルでの下りリンク制御チャネル、及び／又は、該ランダムアクセスプリアンブルをフィードバックするための下りリンク制御チャネルである。
【０１３６】
本実施例では、第二送信ユニット９０１及び第二確定ユニット９０２の実施方式については実施例３のステップ４０１−４０２、実施例４のステップ５０１−５０２を参照することができ、ここではその詳しい説明を省略する。
【０１３７】
本実施例では、該条件は、該第一セルが第二セルと同じであり、又は、該第一セルが第二セルとは異なるという条件である。なお、該第一セル及び第二セルの実施方式については実施例１又は２を参照することができ、ここではその詳しい説明を省略する。
【０１３８】
本実施例では、該伝送ブロックは該第一セルで受信される伝送ブロックであり、該ランダムアクセスプリアンブルはビーム失敗回復要求であり、該下りリンク制御チャネルはＣ−ＲＮＴＩ又はＲＡ−ＲＮＴＩに関連している。
【０１３９】
本実施例では、オプションとして、該装置はさらに次のようなもの（図示せず）を含む。
【０１４０】
第二送受信ユニット：下りリンク制御チャネル上の下りリンク割り当てをモニタリングし、該ＰＤＣＣＨ上で下りリンク割り当てを受信したときに、該ＰＤＣＣＨでスケジューリングされるＰＤＳＣＨ上で伝送ブロック（ＰＤＳＣＨ上でデータは伝送ブロックを基本伝送ユニットとする）を受信し、受信した該伝送ブロックをデコードする。なお、該下りリンク制御チャネルの具体的な実施方式については実施例３を参照することができ、ここではその詳しい説明を省略する。
【０１４１】
本実施例では、オプションとして、該装置はさらに以下のようなこと（図示せず）を含む。
【０１４２】
第二処理ユニット：ランダムアクセスプロシージャが成功裏に完了した後に、該ランダムアクセスプロシージャに関連する上下りリンク信号の送信又は受信を停止し、及び／又は、測定間隔の出現可能性を無視する。
【０１４３】
上述の実施例により、下りリンク制御チャネルと、セル又は端末装置が送信するランダムアクセスプリアンブルとの関係に基づいてランダムアクセスプロシージャの成功不成功を確定することにより、端末装置は、データを正確に送受信することができるため、成功率を向上させ、再送回数を減少させ、エネルギー消費を節約することができる。
【実施例９】
【０１４４】
本実施例９ではさらにデータ受信装置が提供される。該装置が問題を解決する原理が実施例５の方法に類似しているため、その具体的な実施については実施例５の方法の実施を参照することができ、ここでは内容が同じである重複説明が省略される。
【０１４５】
図１０は該データ受信装置の構成を示す図であり、図１０に示すように、該装置１０００は以下のようなものを含む。
【０１４６】
第三送信ユニット１００１：ネットワーク装置にランダムアクセスプリアンブルを送信し；
モニタリングユニット１００２：第二セルで下りリンク制御情報をモニタリングし、そのうち、該下りリンク制御情報は該ランダムアクセスプリアンブルに関連しており；
受信ユニット１００３：第一セルで該下りリンク制御情報によりスケジューリングされる下りリンクデータを受信し、そのうち、該第一セルは該第二セルとは異なる。
【０１４７】
本実施例では、該第一セル及び第二セルの実施方式については実施例５を参照することができ、ここではその詳しい説明を省略する。
【０１４８】
本実施例では、第三送信ユニット１００１、モニタリングユニット１００２、受信ユニット１００３の実施方式については実施例５のステップ６０１−６０３を参照することができる。
【０１４９】
本実施例では、該ランダムアクセスプリアンブルはビーム失敗回復のための上位層シグナリングの設定に基づいて送信され、該ランダムアクセスプリアンブルはビーム失敗回復要求である。
【０１５０】
本実施例では、オプションとして、該装置はさらに次のようなもの（図示せず）を含んでも良い。
【０１５１】
第三送受信ユニット：ネットワーク装置が上位層シグナリングにより送信する第一設定を受信し、該第一設定（例えば、ＰＲＡＣＨ−ＲｅｓｏｕｒｃｅＤｅｄｉｃａｔｅｄＢＦＲ）は、ビーム失敗回復のための特定のＰＲＡＣＨリソースを指示し、該第一設定は具体的には既存の規格を参照することができ、第三送信ユニット１００１は該第一設定に基づいて該第一セルで該ランダムアクセスプリアンブルを送信し；又は
第三送受信ユニット：第一セルでネットワーク装置が上位層シグナリングにより送信する参照信号索引を受信し、該参照信号索引はネットワーク装置が候選ビーム参照信号リスト（ｃａｎｄｉｄａｔｅＢｅａｍＲＳｌｉｓｔ）のうちから選んだ索引であり；又は
第三送受信ユニット：第一セルでネットワーク装置が上位層シグナリングにより送信する第一設定（ビーム失敗回復の設定）を受信する。なお、該第一設定は具体的には前述と同様であり、ここではその詳しい説明を省略する。
【０１５２】
これにより、端末装置は、該第一セルで該下りリンクデータを受信したときに、該第一セルのチャネル品質が良くなっていると推定することができ、そして、第一セルのビーム失敗が回復していると確定することができる。これにより、対応するランダムプロシージャをタイムリーに終了し、エネルギー消費を節約することができる。
【実施例１０】
【０１５３】
本実施例１０はさらにデータ送信装置を提供する。該装置が問題を解決する原理が実施例６の方法と類似しているので、その具体的な実施については実施例６の方法の実施を参照することができ、ここでは内容が同じである重複説明が省略される。
【０１５４】
図１１は該データ送信装置の構成を示す図であり、図１１に示すように、該装置１１００は以下のようなものを含む。
【０１５５】
第一受信ユニット１１０１：端末装置が送信するランダムアクセスプリアンブルを受信し；
第四送信ユニット１１０２：第二セルで該端末装置に下りリンク制御情報を送信し、そのうち、前記下りリンク制御情報は前記ランダムアクセスプリアンブルに関連しており；
第五送信ユニット１１０３：第一セルで前記端末装置に前記下りリンク制御情報によりスケジューリングされる下りリンクデータを送信し、そのうち、前記第一セルは前記第二セルとは異なる。
【０１５６】
本実施例では、該第一セル及び第二セルの実施方式については実施例５を参照することができ、ここではその詳しい説明を省略する。
【０１５７】
本実施例では、第一受信ユニット１１０１、第四送信ユニット１１０２、第五送信ユニット１１０３の実施方式については、実施例６のステップ７０１−７０３を参照することができ。
【０１５８】
本実施例では、該ランダムアクセスプリアンブルはビーム失敗回復のための上位層シグナリングの設定に基づいて送信され、該ランダムアクセスプリアンブルはビーム失敗回復要求である。
【０１５９】
本実施例では、オプションとして、該装置はさらに以下のようなもの（図示せず）を含んでも良い。
【０１６０】
第四送受信ユニット：上位層シグナリングにより端末装置に第一設定を送信し、該第一設定（例えば、ＰＲＡＣＨ−ＲｅｓｏｕｒｃｅＤｅｄｉｃａｔｅｄＢＦＲ）は、ビーム失敗回復のための特定のＰＲＡＣＨリソースを指示する。なお、該第一設定は具体的には既存の規格を参照することができ；又は
第四送受信ユニット：候選ビーム参照信号リスト（ｃａｎｄｉｄａｔｅＢｅａｍＲＳｌｉｓｔ）のうちから参照信号索引を選択し、第一セルで上位層シグナリングにより端末装置に該参照信号索引を送信し；又は
第四送受信ユニット：上位層シグナリングにより第一セルで端末装置に第一設定（ビーム失敗回復の設定）を送信する。なお、該第一設定は具体的には前述と同様であり、ここではその詳しい説明を省略する。
【０１６１】
これにより、ネットワーク装置は、正確な指示情報を用いて下りリンクデータを送信することができるので、データ伝送の成功率を向上させ、再送回数を減少させ、エネルギー消費を節約することができる。
【実施例１１】
【０１６２】
本実施例ではさらに通信システムが提供される。該通信システムについては図１Ａを参照することができ、ここでは実施例１及び２と同じ内容が省略される。
【０１６３】
本実施例では、通信システム１００は端末装置１０２を含んでも良く、それは、実施例７又は実施例８に記載のランダムアクセス装置８００又は９００が構成されており、又は、実施例９に記載のデータ受信装置１０００が構成されている。
【０１６４】
オプションとして、該通信システムはさらにネットワーク装置１０１を含んでも良く、それは、実施例１０に記載のデータ送信装置１１００が構成されている。
【０１６５】
本実施例はさらにネットワーク装置を提供し、それは例えば基地局であっても良いが、本発明はこれに限られず、他のネットワーク装置であっても良い。
【０１６６】
図１２は本発明の実施例におけるネットワーク装置の構成を示す図である。図１２に示すように、ネットワーク装置１２００は処理器１２１０（例えば、中央処理器ＣＰＵ）及び記憶器１２２０を含んでも良く、記憶器１２２０は処理器１２１０に接続される。そのうち、該記憶器１２２０は各種のデータを記憶することができ、また、情報処理用のプログラム１２３０をさらに記憶することができ、且つ処理器１２１０の制御下で該プログラム１２３０を実行することができる。
【０１６７】
例えば、処理器１２１０はプログラム１２３０を実行して実施例６に記載のデータ送信方法を実現するように構成されても良い。例えば、処理器１２１０は次のような制御を行うように構成されても良く、即ち、端末装置送信のランダムアクセスプリアンブルを受信し；第二セルで該端末装置に下りリンク制御情報を送信し、そのうち、該下りリンク制御情報は該ランダムアクセスプリアンブルと関連しており；及び、第一セルで該端末装置に該下りリンク制御情報によりスケジューリングされる下りリンクデータを送信し、そのうち、該第一セルは該第二セルとは異なる。
【０１６８】
また、図１２に示すように、ネットワーク装置１２００はさらに送受信機１２４０、アンテナ１２５０などを含んでも良く、そのうち、これらの部品の機能が従来技術と類似しているから、ここではその詳しい説明を省略する。なお、ネットワーク装置１２００は図１２に示すすべての部品を含む必要がない。また、ネットワーク装置１２００はさらに図１２にない部品を含んでも良いが、これについては従来技術を参照することができる。
【０１６９】
また、本発明の実施例はさらに端末装置を提供し、本発明はこれに限られず、他の装置であっても良い。
【０１７０】
図１３は本発明の実施例における端末装置を示す図である。図１３に示すように、該端末装置１３００は処理器１３１０及び記憶器１３２０を含んでも良く、記憶器１３２０はデータ及びプログラムを記憶しており、処理器１３１０に接続される。なお、該図は例示に過ぎず、さらに他の類型の構造を用いて、該構造に対して補充又は代替を行うことで、電気通信機能又は他の機能を実現しても良い。
【０１７１】
例えば、処理器１３１０はプログラムを実行して実施例１又は実施例２に記載のランダムアクセス方法を実現するように構成されても良い。例えば、処理器１３１０は次のような制御を行うように構成されても良く、即ち、ネットワーク装置にランダムアクセスプリアンブルを送信し；及び、該端末装置が第一通知を受信したときに、又は、第一通知を受信しており、且つ該ランダムアクセスプリアンブルに関連する第一セルの条件が満足されたときに、該ランダムアクセスプリアンブルに対応するランダムアクセスプロシージャが成功裏に完了していると確定（ｃｏｎｓｉｄｅｒ）し、そのうち、該第一通知は、下位層から送信される、該第一セルでの下りリンク制御チャネルの伝送の受信済みの通知であり、及び／又は、下位層から送信される、該ランダムアクセスプリアンブルをフィードバックするための下りリンク制御チャネルの伝送の受信済みの通知である。
【０１７２】
例えば、処理器１３１０はプログラムを実行して実施例３又は実施例４に記載のランダムアクセス方法を実現するように構成されても良い。例えば、処理器１３１０は次のような制御を行うように構成されても良く、即ち、ネットワーク装置にランダムアクセスプリアンブルを送信し；及び、下りリンク制御チャネルで下りリンク割り当てを受信しており、且つ受信した対応する伝送ブロックが成功裏にデコードされているときに、又は、下りリンク制御チャネルで下りリンク割り当てを受信しており、且つ受信した対応する伝送ブロックが成功裏にデコードされており、且つ該ランダムアクセスプリアンブルに関連する第一セルの条件が満足されたときに、該端末装置は、該ランダムアクセスプリアンブルに対応するランダムアクセスプロシージャが成功裏に完了していると確定し、そのうち、該下りリンク制御チャネルは、第二セルの下りリンク制御チャネル、及び／又は、該ランダムアクセスプリアンブルをフィードバックするための下りリンク制御チャネルである。
【０１７３】
例えば、処理器１３１０はプログラムを実行して実施例５に記載のデータ受信方法を実現するように構成されても良い。例えば、処理器１３１０は次のような制御を行うように構成されても良く、即ち、ネットワーク装置にランダムアクセスプリアンブルを送信し；第二セルで下りリンク制御情報をモニタリングし、そのうち、該下りリンク制御情報は該ランダムアクセスプリアンブルと関連しており；及び、第一セルで該下りリンク制御情報によりスケジューリングされる下りリンクデータを受信し、そのうち、該第一セルは該第二セルとは異なる。
【０１７４】
図１３に示すように、該端末装置１３００はさらに通信モジュール１３３０、入力ユニット１３４０、表示器１３５０、電源１３６０を含んでも良い。そのうち、これらの部品の機能が従来技術に類似しているから、ここではその詳しい説明を省略する。なお、端末装置１３００は図１３に示すすべての部品を含む必要がない。また、端末装置１３００はさらに図１３に無い部品を含んでも良いが、これについては従来技術を参照することができる。
【０１７５】
図１４は本実施例におけるデータ送受信方法のフローチャートであり、図１４に示すように、該方法は以下のようなステップを含む。
【０１７６】
ステップ１４０１：端末装置がネットワーク装置にランダムアクセスプリアンブルを送信し；
ステップ１４０２：ネットワーク装置が第二セルで下りリンク制御情報を送信し、該下りリンク制御情報はＰＤＣＣＨによりキャリー（ｃａｒｒｙ）され、該ＰＤＣＣＨは該ランダムアクセスプリアンブルをフィードバックするためのＰＤＣＣＨであり；
ステップ１４０３：ネットワーク装置が第一セルで該下りリンク制御情報によりスケジューリングされる下りリンクデータを送信し；
ステップ１４０４：端末装置が第二セルで下りリンク制御情報をモニタリングし、第一セルで該下りリンクデータをモニタリングし、該下りリンクデータをデコードする。
【０１７７】
なお、上述のステップ１４０１−１４０４の実施方式については実施例５−６を参照することができ、また、ステップ１４０１、１４０４は端末装置の下位層（例えば、物理層）により実現されるため、ここではその詳しい説明を省略する。さらに、本実施例はステップ１４０２−１４０４の実行順序について限定せず、これらのステップは同時に行われても良い。
【０１７８】
ステップ１４０５：端末装置の下位層が下りリンク制御チャネルの伝送を受信したときに、ＭＡＣ層に第一通知を送信し、該第一通知は具体的には実施例１を参照することができ、ここではその詳しい説明を省略する。
【０１７９】
本実施例では、ステップ１４０５及び１４０４の実行順序について限定せず、ステップ１４０５はステップ１４０４と同時に実行されても良く、例えば、ステップ１４０５はステップ１４０４におけるデータのデコードが成功した後に実行されても良く、ＤＣＩ受信後且つデータデコード前に実行されても良いが、本実施例はこれに限定されない
ステップ１４０６：条件が満足されたかを判断し、満足されたときに、ＭＡＣ実体はステップ１４０１におけるランダムアクセスプリアンブルに対応するランダムアクセスプロシージャが成功裏に完了していると確定する。
【０１８０】
なお、上述のステップ１４０６の実施方式については実施例１−４のステップ２０２、３０２、４０２、５０２を参照することができ、それは端末装置のＭＡＣ層により実現され、ここではその詳しい説明を省略する。
【０１８１】
本実施例では、ステップ１４０１の前に、該方法はさらに次のようなこと（図示せず；オプション）を含んでも良く、即ち、ネットワーク装置が端末装置に参照信号索引及び／又は第一設定を送信することである。なお、具体的には実施例５を参照することができ、ここではその詳しい説明を省略する。
【０１８２】
本発明の実施例はさらにコンピュータ可読プログラムを記憶している記憶媒体を提供し、そのうち、前記コンピュータ可読プログラムは、ランダムアクセス装置又は端末装置に、実施例１乃至実施例４の任意の１つの記載のランダムアクセス方法を実行させる。
【０１８３】
本発明の実施例はさらにコンピュータ可読プログラムを提供し、そのうち、ランダムアクセス装置又は端末装置の中で前記プログラムを実行するときに、前記プログラムは、前記ランダムアクセス装置又は端末装置に、実施例１乃至実施例４の任意の１つに記載のランダムアクセス方法を実行させる。
【０１８４】
本発明の実施例はさらにコンピュータ可読プログラムを記憶している記憶媒体を提供し、そのうち、前記コンピュータ可読プログラムは、データ受信装置又は端末装置に、実施例５に記載のデータ受信方法を実行させる。
【０１８５】
本発明の実施例はさらにコンピュータ可読プログラムを提供し、そのうち、データ受信装置又は端末装置の中で前記プログラムを実行するときに、前記プログラムは、前記データ受信装置又は端末装置に実施例５に記載のデータ受信方法を実行させる。
【０１８６】
本発明の実施例はさらにコンピュータ可読プログラムを記憶した記憶媒体を提供し、そのうち、前記コンピュータ可読プログラムは、データ送信装置又はネットワーク装置に、実施例６に記載のデータ送信方法を実行させる。
【０１８７】
本発明の実施例はさらにコンピュータ可読プログラムを提供し、そのうち、データ送信装置又はネットワーク装置において前記プログラムを実行するときに、前記プログラムは、前記データ送信装置又はネットワーク装置に、実施例６に記載のデータ送信方法を実行させる。
【０１８８】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０１８９】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０１９０】
以上、本発明の好ましい実施形態を説明したが、本発明はこのような実施形態に限定されず、本発明の趣旨を離脱しない限り、本発明に対するあらゆる変更は本発明の技術的範囲に属する。
【０１９１】
また、上述の実施例などに関し、さらに以下の付記を開示する。
【０１９２】
（付記１）
ランダムアクセス方法であって、
前記方法は以下のようなステップを含み、即ち、
端末装置がネットワーク装置にランダムアクセスプリアンブルを送信し；及び
前記端末装置が第一通知を受信したときに、又は、前記端末装置が第一通知を受信しており、且つ前記ランダムアクセスプリアンブルに関連する第一セルの条件が満足されたときに、前記端末装置は前記ランダムアクセスプリアンブルに対応するランダムアクセスプロシージャが成功裏に完了していると確定（ｃｏｎｓｉｄｅｒ）し、
そのうち、前記第一通知は、下位層から送信される、前記第一セルでの下りリンク制御チャネルの伝送が受信されたことの通知、及び／又は下位層から送信される、前記ランダムアクセスプリアンブルをフィードバックするための下りリンク制御チャネルの伝送が受信されたことの通知である、方法。
【０１９３】
（付記２）
付記１に記載の方法であって、
前記第一セルは、
前記ランダムアクセスプリアンブルに対応するランダムアクセスプロシージャが開始されるセル；又は
前記ランダムアクセスプリアンブルが送信されるセルである、方法。
【０１９４】
（付記３）
付記１又は２に記載の方法であって、
前記条件は、前記第一セルが第二セルと同じであり、又は、前記第一セルが第二セルとは異なることである、方法。
【０１９５】
（付記４）
付記３に記載の方法であって、
前記第二セルは、
前記ランダムアクセスプリアンブルをフィードバックするための下りリンク制御チャネルの伝送がモニタリングされるセル；又は
特殊セル（ＳｐＣｅｌｌ）である、方法。
【０１９６】
（付記５）
付記１乃至４のうちの任意の１項に記載の方法であって、
前記ランダムアクセスプリアンブルはビーム失敗回復要求である、方法。
【０１９７】
（付記６）
付記１乃至５のうちの任意の１項に記載の方法であって、
前記下りリンク制御チャネルの伝送はＣ−ＲＮＴＩ又はＲＡ−ＲＮＴＩに関連している（ｉｓ  ａｄｄｒｅｓｓｅｄ  ｔｏ）、方法。
【０１９８】
（付記７）
付記１乃至６のうちの任意の１項に記載の方法であって、
前記方法はさらに、
前記ランダムアクセスプロシージャが完成した後に、前記端末装置が前記ランダムアクセスプロシージャに関連する上下りリンク信号の送信又は受信を停止することを含む、方法。
【０１９９】
（付記８）
ランダムアクセス方法であって、
前記方法は以下のようなステップを含み、即ち、
端末装置がネットワーク装置にランダムアクセスプリアンブルを送信し；及び
前記端末装置が下りリンク制御チャネルで下りリンク割り当てを受信しており、且つ受信した対応する伝送ブロックが成功裏にデコードされているときに、又は、前記端末装置が下りリンク制御チャネルで下りリンク割り当てを受信しており、且つ受信した対応する伝送ブロックが成功裏にデコードされており、且つ前記ランダムアクセスプリアンブルに関連する第一セルの条件が満足されたときに、前記端末装置は、前記ランダムアクセスプリアンブルに対応するランダムアクセスプロシージャが成功裏に完了していると確定し；
そのうち、前記下りリンク制御チャネルは、第二セルの下りリンク制御チャネル、及び／又は、前記ランダムアクセスプリアンブルをフィードバックするための下りリンク制御チャネルである、方法。
【０２００】
（付記９）
付記８に記載の方法であって、
前記第一セルは、
前記ランダムアクセスプリアンブルに対応するランダムアクセスプロシージャが開始されるセル；又は
前記ランダムアクセスプリアンブルが送信されるセルである、方法。
【０２０１】
（付記１０）
付記８又は９に記載の方法であって、
前記条件は、前記第一セルが第二セルと同じであり、又は前記第一セルが第二セルとは異なることである、方法。
【０２０２】
（付記１１）
付記１０前記方法であって、
前記第二セルは、
前記ランダムアクセスプリアンブルをフィードバックするための下りリンク割り当てがモニタリングされるセル；又は
特殊セル（ＳｐＣｅｌｌ）である、方法。
【０２０３】
（付記１２）
付記８乃至１１のうちの任意の１項に記載の方法であって、
前記伝送ブロックは前記第一セルで受信する伝送ブロックである、方法。
【０２０４】
（付記１３）
付記８乃至１２のうちの任意の１項に記載の方法であって、
前記ランダムアクセスプリアンブルはビーム失敗回復要求である、方法。
【０２０５】
（付記１４）
付記８乃至１３のうちの任意の１項に記載の方法であって、
前記下りリンク制御チャネルはＣ−ＲＮＴＩ又はＲＡ−ＲＮＴＩに関連している、方法。
【０２０６】
（付記１５）
付記８乃至１４のうちの任意の１項に記載の方法であって、
前記方法はさらに、
前記ランダムアクセスプロシージャが完成した後に、前記端末装置が前記ランダムアクセスプロシージャに関連する上下りリンク信号の送信又は受信を停止することを含む、方法。
【０２０７】
（付記１６）
付記１乃至１５のうちの任意の１項に記載の方法であって、
前記方法はさらに、
前記端末装置が測定間隔の出現可能性を無視することを含む、方法。
【０２０８】
（付記１７）
データ受信方法であって、
前記方法は以下のようなステップを含み、即ち、
端末装置がネットワーク装置にランダムアクセスプリアンブルを送信し；
前記端末装置が第二セルで下りリンク制御情報をモニタリングし、そのうち、前記下りリンク制御情報は前記ランダムアクセスプリアンブルに関連しており；及び
前記端末装置が第一セルで前記下りリンク制御情報によりスケジューリングされる下りリンクデータを受信し、そのうち、前記第一セルは前記第二セルとは異なる、方法。
【０２０９】
（付記１８）
付記１７に記載の方法であって、
前記第一セルは、前記下りリンク制御情報によりスケジューリングされる下りリンクデータと関連付けられる参照信号索引が提供されるセルであり、又は
前記第一セルは、前記ランダムアクセスプリアンブルが送信されるセルであり、又は
前記第一セルは、前記ランダムアクセスプリアンブルに対応するビーム失敗回復の設定が送信されるセルである、方法。
【０２１０】
（付記１９）
付記１７又は１８に記載の方法であって、
前記ランダムアクセスプリアンブルは、ビーム失敗回復のための上位層シグナリングの設定に基づいて送信される、方法。
【０２１１】
（付記２０）
付記１７乃至１９のうちの任意の１項に記載の方法であって、
前記第二セルは前記下りリンク制御情報がモニタリングされるセルであり、又は、前記第二セル是Ｓｐｃｅｌｌである、方法。
【０２１２】
（付記２１）
付記１７乃至２０のうちの任意の1項に記載の方法であって、
前記端末装置は、設定された候選ビーム参照信号リストから選択された索引に対応する参照信号に基づいて前記下りリンクデータを受信する、方法。
【０２１３】
（付記２２）
データ送信方法であって、
前記方法は以下のようなステップを含み、即ち、
ネットワーク装置が端末装置により送信されるランダムアクセスプリアンブルを受信し；
前記ネットワーク装置が第二セルで前記端末装置に下りリンク制御情報を送信し、そのうち、前記下りリンク制御情報は前記ランダムアクセスプリアンブルに関連しており；及び
前記ネットワーク装置が第一セルで前記端末装置に前記下りリンク制御情報によりスケジューリングされる下りリンクデータを送信し、そのうち、前記第一セルは前記第二セルとは異なる、方法。
【０２１４】
（付記２３）
付記２２に記載の方法であって、
前記第一セルは、前記下りリンク制御情報によりスケジューリングされる下りリンクデータと関連付けられる参照信号索引が提供されるセルであり、又は
前記第一セルは、前記ランダムアクセスプリアンブルが受信されるセルであり、又は
前記第一セルは、前記ランダムアクセスプリアンブルに対応するビーム失敗回復の設定が受信されるセルである、方法。
【０２１５】
（付記２４）
付記２２又は２３に記載の方法であって、
前記ランダムアクセスプリアンブルはビーム失敗回復のための上位層シグナリングの設定に基づいて受信される、方法。
【０２１６】
（付記２５）
付記２２乃至２４のうちの任意の１項に記載の方法であって、
前記第二セルは前記下りリンク制御情報が送信されるセルであり、又は、前記第二セル是は特殊セル（Ｓｐｃｅｌｌ）である、方法。
【０２１７】
（付記２６）
付記２２乃至２５のうちの任意の１項に記載の方法であって、
前記ネットワーク装置が前記下りリンクデータを送信するに使用するアンテナポートと、参照信号を送信するに使用するアンテナポートとはＱＣＬであり、そのうち、前記ネットワーク装置は上位層シグナリングにより前記ランダムアクセスプリアンブルのランダムアクセス機会（ＲＡＣＨ  ｏｃｃａｓｉｏｎ）と前記参照信号との対応関係を設定する、方法。
【図１Ａ】
2021533613.tif 000003
【図１Ｂ】
2021533613.tif 000004
【図１Ｃ】
2021533613.tif 000005
【図２】
2021533613.tif 000006
【図３】
2021533613.tif 000007
【図４】
2021533613.tif 000008
【図５】
2021533613.tif 000009
【図６】
2021533613.tif 000010
【図７】
2021533613.tif 000011
【図８】
2021533613.tif 000012
【図９】
2021533613.tif 000013
【図１０】
2021533613.tif 000014
【図１１】
2021533613.tif 000015
【図１２】
2021533613.tif 000016
【図１３】
2021533613.tif 000017
【図１４】
2021533613.tif 000018
【国際調査報告】
2021533613.tif 000019
2021533613.tif 000020
2021533613.tif 000021
2021533613.tif 000022